(57)【要約】  アクセスポイントＡＰは、ネットワークの複数のユーザに対してトレーニング要求メッセージを送る。各ユーザは、シリアルな方法で送られるサウンディングフレームで応答する。ＡＰは、各ユーザに対する周波数補正情報を計算し、この情報をユーザに通信で戻す。ユーザは、その後、ＵＬ ＭＩＭＯ送信においてこの補正情報を適用する。【選択図】    図５
2012531829.tif 000002
【特許請求の範囲】
【請求項１】
ワイヤレス通信のための方法において、
複数のワイヤレスノードに補正情報を送ることと、
前記補正情報に基づいて前記複数のワイヤレスノードのうちの少なくとも１つのワイヤレスノードにより発生された補正済データを受信することと、
前記補正済データを空間的に処理することとを含む方法。
【請求項２】
前記複数のワイヤレスノードに補正情報を送ることは、第２の通信の間に決定された周波数オフセット推定に基づいて、第１の通信中の周波数オフセットを補正するように、前記複数のワイヤレスノード中の少なくとも１つのワイヤレスノードに要求することを含む請求項１記載の方法。
【請求項３】
前記第２の通信は、プリアンブルまたはパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項２記載の方法。
【請求項４】
前記複数のワイヤレスノードに補正情報を送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む請求項１記載の方法。
【請求項５】
前記複数のワイヤレスノードに補正情報を送ることは、第２の通信中に前記少なくとも１つのワイヤレスノードにより決定された電力推定に基づいて、第１の通信中の電力を補正するように、少なくとも１つのワイヤレスノードに要求することを含む請求項１記載の方法。
【請求項６】
前記電力推定は、前記第２の通信からのパケット中のプリアンブルに基づいている請求項５記載の方法。
【請求項７】
アップリンク情報に対する要求を前記複数のワイヤレスノードに送信することをさらに含む請求項１記載の方法。
【請求項８】
前記アップリンク情報に対する要求は、前記要求への少なくとも１つの応答を受信するために使用される送信媒体の予約を含む請求項７記載の方法。
【請求項９】
前記アップリンク情報に対する要求は、バックオフ手順を使用して送信される請求項７記載の方法。
【請求項１０】
前記ワイヤレスノードのうちの少なくとも１つのもののＱｏＳ要件に基づいて、前記複数のワイヤレスノードを選択することをさらに含む請求項１記載の方法。
【請求項１１】
前記補正情報は、周波数、時間、または、電力の補正情報のうちの少なくとも１つを含む請求項１記載の方法。
【請求項１２】
前記タイミング補正情報は、拡張されたサイクリックプリフィックスを使用するための、前記複数のワイヤレスノードのうちの少なくとも１つに対する要求を含む請求項１１記載の方法。
【請求項１３】
バックオフ電力値に基づいて、前記電力の補正情報を決定することをさらに含む請求項１１記載の方法。
【請求項１４】
そのワイヤレスノードにより送られた複数のサウンディングフレームから、前記ワイヤレスノードに対する前記周波数の補正情報を決定することをさらに含む請求項１１記載の方法。
【請求項１５】
前記複数のサウンディングフレーム中の各サウンディングフレームは、前記ワイヤレスノードのそれぞれによって送信されたＣＴＳフレームの一部として送信されたものである請求項１４記載の方法。
【請求項１６】
前記複数のサウンディングフレームから計算したチャネル推定に基づいて、ＭＵ−ＭＩＭＯ方式で肯定応答メッセージを送信することをさらに含む請求項１４記載の方法。
【請求項１７】
前記肯定応答の送信の前に、チャネル状態情報に基づいて、前記チャネル推定を修正することをさらに含む請求項１６記載の方法。
【請求項１８】
前記複数のワイヤレスノードのうちの少なくとも２つから、前記補正済データを同時に受信する請求項１記載の方法。
【請求項１９】
ワイヤレス通信のための装置において、
複数のワイヤレスノードに補正情報を送るようにと、
前記補正情報に基づいて前記複数のワイヤレスノードのうちの少なくとも１つのワイヤレスノードにより発生された補正済データを受信するようにと、
前記補正済データを空間的に処理するように構成されている処理システムを具備する装置。
【請求項２０】
前記処理システムは、第２の通信の間に決定された周波数オフセット推定に基づいて、第１の通信中の周波数オフセットを補正するように、前記複数のワイヤレスノード中の少なくとも１つのワイヤレスノードに要求するようにさらに構成されている請求項１９記載の装置。
【請求項２１】
前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項２０記載の装置。
【請求項２２】
前記複数のワイヤレスノードに補正情報を送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む請求項１９記載の装置。
【請求項２３】
前記処理システムは、第２の通信中に前記少なくとも１つのワイヤレスノードにより決定された電力推定に基づいて、第１の通信中の電力を補正するように、少なくとも１つのワイヤレスノードに要求するようにさらに構成されている請求項１９記載の装置。
【請求項２４】
前記電力推定は、前記第２の通信からのパケット中のプリアンブルに基づいている請求項２３記載の装置。
【請求項２５】
前記処理システムは、アップリンク情報に対する要求を前記複数のワイヤレスノードに送信するようにさらに構成されている請求項１９記載の装置。
【請求項２６】
前記アップリンク情報に対する要求は、前記要求への少なくとも１つの応答を受信するために使用される送信媒体の予約を含む請求項２５記載の装置。
【請求項２７】
前記アップリンク情報に対する要求は、バックオフ手順を使用して送信される請求項２５記載の装置。
【請求項２８】
前記ワイヤレスノードのうちの少なくとも１つのもののＱｏＳ要件に基づいて、前記複数のワイヤレスノードを選択することをさらに含む請求項１９記載の装置。
【請求項２９】
前記補正情報は、周波数、時間、または、電力の補正情報のうちの少なくとも１つを含む請求項１９記載の装置。
【請求項３０】
前記タイミング補正情報は、拡張されたサイクリックプリフィックスを使用するための、前記複数のワイヤレスノードのうちの少なくとも１つに対する要求を含む請求項２９記載の装置。
【請求項３１】
前記処理システムは、バックオフ電力値に基づいて、前記電力の補正情報を決定するようにさらに構成されている請求項２９記載の装置。
【請求項３２】
前記処理システムは、そのワイヤレスノードにより送られた複数のサウンディングフレームから、前記ワイヤレスノードに対する前記周波数の補正情報を決定するようにさらに構成されている請求項２９記載の装置。
【請求項３３】
前記複数のサウンディングフレーム中の各サウンディングフレームは、前記ワイヤレスノードのそれぞれによって送信されたＣＴＳフレームの一部として送信されたものである請求項３２記載の装置。
【請求項３４】
前記処理システムは、前記複数のサウンディングフレームから計算したチャネル推定に基づいて、ＭＵ−ＭＩＭＯ方式で肯定応答メッセージを送信するようにさらに構成されている請求項３２記載の装置。
【請求項３５】
前記処理システムは、前記肯定応答の送信の前に、チャネル状態情報に基づいて、前記チャネル推定を修正するようにさらに構成されている請求項３４記載の装置。
【請求項３６】
前記複数のワイヤレスノードのうちの少なくとも２つから、前記補正済データを同時に受信する請求項１９記載の装置。
【請求項３７】
ワイヤレス通信のための装置において、
複数のワイヤレスノードに補正情報を送る手段と、
前記補正情報に基づいて前記複数のワイヤレスノードのうちの少なくとも１つのワイヤレスノードにより発生された補正済データを受信する手段と、
前記補正済データを空間的に処理する手段とを具備する装置。
【請求項３８】
前記複数のワイヤレスノードに補正情報を送る手段は、第２の通信の間に決定された周波数オフセット推定に基づいて、第１の通信中の周波数オフセットを補正するように、前記複数のワイヤレスノード中の少なくとも１つのワイヤレスノードに要求する手段を備える請求項３７記載の装置。
【請求項３９】
前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項３８記載の装置。
【請求項４０】
前記複数のワイヤレスノードに補正情報を送る手段は、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求する手段を備える請求項３７記載の装置。
【請求項４１】
前記複数のワイヤレスノードに補正情報を送る手段は、第２の通信中に前記少なくとも１つのワイヤレスノードにより決定された電力推定に基づいて、第１の通信中の電力を補正するように、少なくとも１つのワイヤレスノードに要求する手段を備える請求項３７記載の装置。
【請求項４２】
前記電力推定は、前記第２の通信からのパケット中のプリアンブルに基づいている請求項４１記載の装置。
【請求項４３】
アップリンク情報に対する要求を前記複数のワイヤレスノードに送信することをさらに含む請求項３７記載の装置。
【請求項４４】
前記アップリンク情報に対する要求は、前記要求への少なくとも１つの応答を受信するために使用される送信媒体の予約を含む請求項４３記載の装置。
【請求項４５】
前記アップリンク情報に対する要求は、バックオフ手順を使用して送信される請求項４３記載の装置。
【請求項４６】
前記ワイヤレスノードのうちの少なくとも１つのもののＱｏＳ要件に基づいて、前記複数のワイヤレスノードを選択することをさらに含む請求項３７記載の装置。
【請求項４７】
前記補正情報は、周波数、時間、または、電力の補正情報のうちの少なくとも１つを含む請求項３７記載の装置。
【請求項４８】
前記タイミング補正情報は、拡張されたサイクリックプリフィックスを使用するための、前記複数のワイヤレスノードのうちの少なくとも１つに対する要求を含む請求項４７記載の装置。
【請求項４９】
バックオフ電力値に基づいて、前記電力の補正情報を決定する手段をさらに具備する請求項４７記載の装置。
【請求項５０】
そのワイヤレスノードにより送られた複数のサウンディングフレームから、前記ワイヤレスノードに対する前記周波数の補正情報を決定する手段をさらに具備する請求項４７記載の装置。
【請求項５１】
前記複数のサウンディングフレーム中の各サウンディングフレームは、前記ワイヤレスノードのそれぞれによって送信されたＣＴＳフレームの一部として送信されたものである請求項５０記載の装置。
【請求項５２】
前記複数のサウンディングフレームから計算したチャネル推定に基づいて、ＭＵ−ＭＩＭＯ方式で肯定応答メッセージを送信することをさらに含む請求項５０記載の装置。
【請求項５３】
前記肯定応答の送信の前に、チャネル状態情報に基づいて、前記チャネル推定を修正することをさらに含む請求項５２記載の装置。
【請求項５４】
前記複数のワイヤレスノードのうちの少なくとも２つから、前記補正済データを同時に受信する請求項３７記載の装置。
【請求項５５】
ワイヤレス通信のためのコンピュータプログラムプロダクトにおいて、
複数のワイヤレスノードに補正情報を送るための実行可能な命令と、
前記補正情報に基づいて前記複数のワイヤレスノードのうちの少なくとも１つのワイヤレスノードにより発生された補正済データを受信するための実行可能な命令と、
前記補正済データを空間的に処理するための実行可能な命令とを含む機械読取可能媒体を具備するコンピュータプログラムプロダクト。
【請求項５６】
アクセスポイントにおいて、
１つ以上のアンテナと、
前記１つ以上のアンテナを介して、前記アンテナを通して複数のワイヤレスノードに補正情報を送るように構成されている送信機と、
前記補正情報に基づいて前記複数のワイヤレスノードのうちの少なくとも１つのワイヤレスノードにより発生された補正済データを受信するように構成されている受信機と、
前記補正済データを空間的に処理するように構成されているプロセッサとを具備するアクセスポイント。
【請求項５７】
ワイヤレス通信のための方法において、
補正情報を受信することと、
前記補正情報に基づくデータを送信することとを含む方法。
【請求項５８】
前記補正情報は、周波数、時間、または、電力の補正情報のうちの少なくとも１つを含む請求項５７記載の方法。
【請求項５９】
前記補正情報は、バッファサイズ、ＱｏＳ要件、遅延要件、または、待ち時間要件のうちの少なくとも１つをさらに含む請求項５８記載の方法。
【請求項６０】
前記周波数の補正情報を決定することが可能になるように、サウンディングフレームを送信することをさらに含む請求項５８記載の方法。
【請求項６１】
前記サウンディングフレームの前にＣＴＳフレームを送信することをさらに含む請求項６０記載の方法。
【請求項６２】
前記ＣＴＳフレーム送信と、少なくとも１つのサウンディングフレーム送信との間に、減少したフレーム間間隔を提供することをさらに含む請求項６１記載の方法。
【請求項６３】
前記ＣＴＳフレーム送信の前に、短いフレーム間間隔を提供することをさらに含む請求項６１記載の方法。
【請求項６４】
前記サウンディングフレームは、短いトレーニングフィールドと、長いトレーニングフィールドとからなるトレーニング部分を含む請求項６０記載の方法。
【請求項６５】
拡張されたサイクリックプリフィックスを使用して、前記データを送信する請求項５７記載の方法。
【請求項６６】
前記補正情報に基づいて、周波数補正を実行することをさらに含み、デジタルドメインで前記周波数補正を実行する請求項５８記載の方法。
【請求項６７】
ワイヤレス通信のための装置において、
補正情報を受信するようにと、
前記補正情報に基づくデータを送信するように構成されている処理システムを具備する装置。
【請求項６８】
前記補正情報は、周波数、時間、または、電力の補正情報のうちの少なくとも１つを含む請求項６７記載の装置。
【請求項６９】
前記補正情報は、バッファサイズ、ＱｏＳ要件、遅延要件、または、待ち時間要件のうちの少なくとも１つをさらに含む請求項６８記載の装置。
【請求項７０】
前記処理システムは、前記周波数の補正情報を決定することが可能になるように、サウンディングフレームを送信するようにさらに構成されている請求項６８記載の装置。
【請求項７１】
前記処理システムは、前記サウンディングフレームの前にＣＴＳフレームを送信するようにさらに構成されている請求項７０記載の装置。
【請求項７２】
前記処理システムは、前記ＣＴＳフレーム送信と、少なくとも１つのサウンディングフレーム送信との間に、減少したフレーム間間隔を提供するようにさらに構成されている請求項７１記載の装置。
【請求項７３】
前記処理システムは、前記ＣＴＳフレーム送信の前に、短いフレーム間間隔を提供するようにさらに構成されている請求項７１記載の装置。
【請求項７４】
前記サウンディングフレームは、短いトレーニングフィールドと、長いトレーニングフィールドとからなるトレーニング部分を含む請求項７０記載の装置。
【請求項７５】
拡張されたサイクリックプリフィックスを使用して、前記データを送信する請求項６７記載の装置。
【請求項７６】
前記処理システムは、前記補正情報に基づいて、周波数補正を実行するようにさらに構成され、デジタルドメインで前記周波数補正を実行する請求項６８記載の装置。
【請求項７７】
ワイヤレス通信のための装置において、
補正情報を受信する手段と、
前記補正情報に基づくデータを送信する手段とを具備する装置。
【請求項７８】
前記補正情報は、周波数、時間、または、電力の補正情報のうちの少なくとも１つを含む請求項７７記載の装置。
【請求項７９】
前記補正情報は、バッファサイズ、ＱｏＳ要件、遅延要件、または、待ち時間要件のうちの少なくとも１つをさらに含む請求項７８記載の装置。
【請求項８０】
前記周波数の補正情報を決定することが可能になるように、サウンディングフレームを送信する手段をさらに具備する請求項７８記載の装置。
【請求項８１】
前記サウンディングフレームの前にＣＴＳフレームを送信する手段をさらに具備する請求項８０記載の装置。
【請求項８２】
前記ＣＴＳフレーム送信と、少なくとも１つのサウンディングフレーム送信との間に、減少したフレーム間間隔を提供する手段をさらに具備する請求項８１記載の装置。
【請求項８３】
前記ＣＴＳフレーム送信の前に、短いフレーム間間隔を提供する手段をさらに具備する請求項８０記載の装置。
【請求項８４】
前記サウンディングフレームは、短いトレーニングフィールドと、長いトレーニングフィールドとからなるトレーニング部分を含む請求項８０記載の装置。
【請求項８５】
拡張されたサイクリックプリフィックスを使用して、前記データを送信する請求項７７記載の装置。
【請求項８６】
前記補正情報に基づいて、周波数補正を実行する手段をさらに具備し、デジタルドメインで前記周波数補正を実行する請求項７８記載の装置。
【請求項８７】
ワイヤレス通信のためのコンピュータプログラムプロダクトにおいて、
補正情報を受信するための実行可能な命令と、
前記補正情報に基づくデータを送信するための実行可能な命令とを含む機械読取可能媒体を具備するコンピュータプログラムプロダクト。
【請求項８８】
移動局において、
１つ以上のアンテナと、
１つ以上のアンテナを介して、補正情報を受信するように構成されている受信機と、
前記補正情報に基づくデータを送信するように構成されている送信機とを具備する移動局。
【請求項８９】
電子カードにおいて、
補正情報を受信するように構成されている受信機と、
１つ以上のアンテナを通して、１つ以上のノードに、前記補正情報に基づくデータを送信するように構成されている送信機とを具備する電子カード。
【発明の詳細な説明】
【関連出願に対する相互参照】
【０００１】
米国特許法第１１９条の下での優先権の主張
本特許出願は、“最小の局タイミングおよび周波数同期化を必要とする複数ユーザアップリンクのための方法および装置”と題し、２００９年６月２６日に出願され、その譲受人に譲渡され、ここでの参照によりここに明示的に組み込まれている仮出願第６１／２２０，９１９号に対する優先権を主張する。
【背景】
【０００２】
Ｉ．分野
以下の説明は、一般的に、通信システムに関し、さらに詳細には、最小の局タイミングおよび周波数同期化を必要とする複数ユーザアップリンクのための方法および装置に関する。
【０００３】
ＩＩ．背景
ワイヤレス通信システムに対して要望される帯域幅要求の増加の問題を取り扱うために、チャネルリソースを共有することにより、複数のユーザ端末が単一のアクセスポイントと通信することを可能にする一方で、高データスループットを達成するように、異なるスキームが開発されている。複数入力または複数出力（ＭＩＭＯ）技術は、次世代通信システムのための人気のある技術として近年登場してきたこのような１つのアプローチを表している。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）のためにＩＥＥＥ８０２．１１委員会により開発された１組のワイヤレスローカルエリアネットワーク（ＷＬＡＮ）エアインターフェース標準規格を示す。
【０００４】
ワイヤレス通信システムにおいて、エアリンク媒体により提供されるいくつかの自由な次元を活用するように動作するよう、媒体アクセス（ＭＡＣ）プロトコルが設計されている。最も一般的に活用される自由な次元は、時間および周波数である。例えば、ＩＥＥＥ８０２．１１ ＭＡＣプロトコルでは、ＣＳＭＡ（搬送波感知多元接続）により、“時間”の自由な次元が活用される。ＣＳＭＡプロトコルは、潜在的な高い干渉の期間の間に、確実に１つの送信だけが起こるように試みる。同様に、異なる周波数チャネルを使用することにより、“周波数”の自由な次元を活用することができる。
【０００５】
最近の開発は、次元としての空間を、既存の容量を増加させるために、または、少なくともより効率的に使用するために使用される実行可能なオプションに導いている。同時送信および受信のために複数の端末をスケジューリングすることにより、エアリンクの利用を改善するために、空間分割多元接続（ＳＤＭＡ）を使用することができる。空間ストリームを使用して、端末のそれぞれにデータが送られる。例えば、ＳＤＭＡにより、送信機は、個々の受信機に対する直交ストリームを形成する。送信機は、いくつかのアンテナと、いくつかのパスからなる送信／受信チャネルとを有しているので、このような直交ストリームを形成することができる。受信機はまた、１つ以上のアンテナ（ＭＩＭＯ、ＳＩＭＯ）を有していてもよい。この例では、送信機はアクセスポイント（ＡＰ）であり、受信機は局（ＳＴＡ）であると仮定する。例えば、ＳＴＡ−Ｂをターゲットとするストリームが、ＳＴＡ−Ｃ、ＳＴＡ−Ｄ、．．．、等においては低電力干渉として見なされるようにストリームが形成され、これは、著しい干渉を引き起こさず、たいがいは無視されるだろう。これらの直交ストリームを形成するために、ＡＰは、受信ＳＴＡのそれぞれからのチャネル状態情報（ＣＳＩ）を有している必要がある。いくつかの方法でＣＳＩを測定し、通信することができ、それにより、複雑さが加わるが、ＣＳＩの使用は、ＳＤＭＡストリームのコンフィギュレーションを最適化するだろう。
【０００６】
ＭＩＭＯがマルチユーザ（ＭＵ）システムに適用されるときに、付加的な複雑さが生じる。例えば、アップリンクスケジューリングは、タイミング、電力、および周波数において、ＡＰと同期するように局に要求する。しかしながら、同期化要件は、ＳＴＡに著しい
負荷をかけることが多い。例えば、開ループ電力制御を行うように、ならびに、厳密なタイミングおよび周波数要件に準拠するとともに、自己補正を実行するように、ＳＴＡは要求されることがある。
【０００７】
結果として、上記で説明した欠陥のうちの１つ以上を取り扱うことが望ましい。
【概要】
【０００８】
以下のものは、このような態様の基本的な理解を提供するために、１つ以上の態様の簡略化した概要を提示する。この概要は、すべての考えられる態様の広範囲にわたる概略ではなく、すべての態様のキーエレメントまたは重要なエレメントを識別すること、あるいは、任意の態様またはすべての態様の範囲を線引きすることのどちらも意図していない。この唯一の目的は、後に提示するさらに詳細な説明に対する前置きとして、１つ以上の態様のうちのいくつかの概念を、簡略化した形態で提示することである。
【０００９】
さまざまな態様にしたがうと、主題的な技術革新は、ワイヤレス通信を提供する装置および方法に関し、ここで、ワイヤレス通信のための方法は、複数のワイヤレスノードに補正情報を送ることと、補正情報に基づいて複数のワイヤレスノードのうちの少なくとも１つの局により発生された補正済データを受信することと、補正済データを空間的に処理することとを含む。
【００１０】
別の態様では、複数のワイヤレスノードに補正情報を送るようにと、補正情報に基づいて複数のワイヤレスノードのうちの少なくとも１つの局により発生された補正済データを受信するようにと、補正済データを空間的に処理するように構成されている処理システムを具備する、ワイヤレス通信のための装置が提供される。
【００１１】
さらに別の態様では、複数のワイヤレスノードに補正情報を送る手段と、補正情報に基づいて複数のワイヤレスノードのうちの少なくとも１つの局により発生された補正済データを受信する手段と、補正済データを空間的に処理する手段とを具備する、ワイヤレス通信のための装置が提供される。
【００１２】
さらに別の態様では、複数のワイヤレスノードに補正情報を送るための実行可能な命令と、補正情報に基づいて複数のワイヤレスノードのうちの少なくとも１つの局により発生された補正済データを受信するための実行可能な命令と、補正済データを空間的に処理するための実行可能な命令とを含む機械読取可能媒体を具備する、ワイヤレス通信のためのコンピュータプログラムプロダクトが提供される。
【００１３】
さらに別の態様では、１つ以上のアンテナと、１つ以上のアンテナを介して、アンテナを通して複数のワイヤレスノードに補正情報を送るように構成されている送信機と、補正情報に基づいて複数のワイヤレスノードのうちの少なくとも１つの局により発生された補正済データを受信するように構成されている受信機と、補正済データを空間的に処理するように構成されているプロセッサとを具備するアクセスポイントが提供される。
【００１４】
さらに別の態様では、補正情報を受信することと、補正情報に基づいて、データを送信することとを含む、ワイヤレス通信のための方法が提供される。
【００１５】
さらに別の態様では、補正情報を受信するようにと、補正情報に基づいて、データを送信するように構成されている処理システムを具備する、ワイヤレス通信のための装置が提供される。
【００１６】
さらに別の態様では、補正情報を受信する手段と、補正情報に基づいて、データを送信する手段とを具備する、ワイヤレス通信のための装置が提供される。
【００１７】
さらに別の態様では、補正情報を受信するための実行可能な命令と、補正情報に基づいて、データを送信するための実行可能な命令とを含む機械読取可能媒体を具備する、ワイヤレス通信のためのコンピュータプログラムプロダクトが提供される。
【００１８】
さらに別の態様では、１つ以上のアンテナと、１つ以上のアンテナを介して、補正情報を受信するように構成されている受信機と、補正情報に基づいて、データを送信するように構成されている送信機とを具備する移動局が提供される。
【００１９】
さらに別の態様では、補正情報を受信するように構成されている受信機と、補正情報に基づいて、１つ以上のアンテナを通して、１つ以上のノードにデータを送信するように構成されている送信機とを具備する電子カードが提供される。
【００２０】
先の目的および関連する目的を達成するために、１つ以上の態様は、後に完全に説明する特徴、および、特許請求の範囲中で特に指摘する特徴を含んでいる。以下の説明および添付図面により、１つ以上の態様のうちのある例示的な態様を詳細に述べる。これらの態様は、さまざまな態様の原理を用いることができるさまざまな方法のうちのいくつかだけを示しているが、説明する態様は、このようなすべての態様およびそれらの均等物を含むことを意図している。
【図面の簡単な説明】
【００２１】
【図１】図１は、本開示の態様にしたがって構成されているワイヤレス通信ネットワークのダイヤグラムである。
【図２】図２は、図１のワイヤレス通信ネットワーク中のワイヤレスノードにおいてフロントエンド処理システムを備えるワイヤレスノードである。
【図３】図３は、本開示の１つの態様にしたがって構成されているＴＲＭフレームのダイヤグラムである。
【図４】図４は、最小の局時間／周波数同期化要件を持つアップリンク複数ユーザ複数入力複数出力（ＭＵ−ＭＩＭＯ）フレームシーケンスの動作を示すタイミングダイヤグラムである。
【図５】図５は、最小の局時間／周波数同期化要件を持つアップリンクＭＵ−ＭＩＭＯシステムの動作を示すフローダイヤグラムである。
【図６】図６は、図３のＴＲＭフレーム中に含まれている情報に基づく空間ストリーム割り振りにより決定された、ＳＤＭＡプリアンブルおよび制御情報を含むサウンディングフレームのダイヤグラムである。
【図７】図７は、本開示の１つの態様にしたがった、複数の局と補正情報を使用するための装置の機能性を示すブロックダイヤグラムである。
【図８】図８は、本開示の１つの態様にしたがった、補正情報を使用してデータを送信するための装置の機能性を示すブロックダイヤグラムである。
【詳細な説明】
【００２２】
添付の図面を参照して、下記で、新規のシステム、装置、および方法のさまざまな態様をさらに完全に説明する。しかしながら、開示の教示は、多くの異なる形態で具現化してもよく、本開示全体を通して提示する何らかの特定の構造または機能に限定されるものとして解釈すべきではない。むしろ、本開示が完全で完璧になるようにこれらの態様が提供され、これらの態様は、当業者に本開示の範囲を十分に伝えるだろう。本発明の他の何らかの態様とは独立して実現されるか、または、本発明の他の何らかの態様と組み合わせて実現されるかにかかわらず、本開示の範囲が、ここで開示する新規のシステム、装置、および方法の何らかの態様をカバーすることを意図していることを、ここでの教示に基づいて当業者は正しく認識すべきである。例えば、ここで述べる任意の数の態様を使用して、装置を実現してもよく、または、方法を実施してもよい。加えて、本発明の範囲は、ここで述べる発明のさまざまな態様に加えて、もしくは、ここで述べる発明のさまざまな態様以外に、他の構造、機能性、あるいは、構造および機能性を使用して実施されるこのような装置もしくは方法をカバーすることを意図している。ここで開示する何らかの態様は、特許請求の範囲のうちの１つ以上のエレメントにより具現化してもよいことを理解すべきである。
【００２３】
図１を参照して、ワイヤレスネットワークのいくつかの態様をここで提示する。ここでは基本サービスセット（ＢＳＳ）１００としても呼ばれるワイヤレスネットワークが、一般的にアクセスポイント１１０ならびに複数のアクセス端末または局（ＳＴＡ）１２０として示されるいくつかのワイヤレスノードにより示されている。各ワイヤレスノードは、受信および／または送信が可能である。以下に続く詳細な説明では、ダウンリンク通信に対しては、送信ノードを示すために“アクセスポイント”という用語を使用し、受信ノードを示すために“アクセス端末” という用語を使用するのに対し、アップリンク通信に対しては、受信ノードを示すために“アクセスポイント”という用語を使用し、送信ノードを示すために“アクセス端末”という用語を使用する。しかしながら、アクセスポイントおよび／またはアクセス端末に対して他の専門用語または専門語を使用してもよいことを当業者は容易に理解するだろう。例として、アクセスポイントは、基地局、基地トランシーバ局、局、端末、ノード、ワイヤレスノード、アクセスポイントとして動作するアクセス端末、または、他の何らかの適切な専門用語として呼ぶことがある。アクセス端末は、ユーザ端末、移動局、加入者局、局、ワイヤレスデバイス、端末、ノード、ワイヤレスノード、または、他の何らかの適切な専門用語として呼ぶことがある。本開示全体を通して説明するさまざまな概念は、それらの特定の専門語に関係なく、すべての適切なワイヤレスノードに適用することを意図している。
【００２４】
ワイヤレスネットワーク１００は、アクセス端末１２０に対するカバレッジを提供するために、地理的な領域全体を通して分散されている任意の数のアクセスポイントをサポートしてもよい。システム制御装置１３０を使用して、アクセスポイントの調整および制御を行うとともに、アクセス端末１２０に対して他のネットワーク（例えば、インターネット）へのアクセスを提供してもよい。簡潔さのために、１つのアクセスポイント１１０が示されている。アクセスポイントは、一般的に、カバレッジの地理的な領域中のアクセス端末にバックホールサービスを提供する固定端末である。しかしながら、アクセスポイントは、何らかの応用では、移動性のものであってもよい。固定のものまたは移動性のものであってもよいアクセス端末は、アクセスポイントのバックホールサービスを利用する、または、他のアクセス端末とのピア・ツー・ピア通信に携わる。アクセス端末の例は、電話機（例えば、セルラ電話機）、ラップトップコンピュータ、デスクトップコンピュータ、パーソナルデジタルアシスタント（ＰＤＡ）、デジタルオーディオプレーヤー（例えば、ＭＰ３プレーヤー）、カメラ、ゲームコンソール、または、他の何らかの適切なワイヤレスノードを含む。
【００２５】
ワイヤレスネットワーク１００は、ＭＩＭＯ技術をサポートしてもよい。ＭＩＭＯ技術を使用して、アクセスポイント１１０は、空間分割多元接続（ＳＤＭＡ）を使用して、複数のアクセス端末１２０と同時に通信してもよい。ＳＤＭＡは、同じ周波数チャネルを共有し、結果として、より高いユーザ容量を提供するために、異なる受信機に同時に複数のストリームを送信することを可能にする多元接続スキームである。各データストリームを空間的にプリコーディングし、その後、ダウンリンク上で異なる送信アンテナを通して、空間的にプリコーディングされた各ストリームを送信することにより、これは達成される。空間的にプリコーディングされたデータストリームは、異なる空間シグニチャを持つアクセス端末に到着し、これにより、各アクセス端末１２０が、そのアクセス端末１２０に対して向けられたデータストリームを復元することが可能になる。アップリンク上では、各アクセス端末１２０が、空間的にプリコーディングされたデータストリームを送信し、これにより、アクセスポイント１１０が、空間的にプリコーディングされた各データストリームのソースを識別することが可能になる。ここでは“プリコーディング”という用語を使用するが、一般的に、データストリームの、プリコーディング、エンコーディング、デコーディング、および／または、ポストコーディングのプロセスを含むように、“コーディング”という用語を使用してもよいことにも留意すべきである。
【００２６】
ある機能性をイネーブルするために、１つ以上のアクセス端末１２０には、複数のアンテナが装備されている。このコンフィギュレーションでは、例えば、アクセスポイント１１０における複数のアンテナを使用して、複数のアンテナアクセスポイントと通信して、付加的な帯域幅または送信電力なしでデータスループットを向上させることができる。送信機における高データレート信号を、異なる空間シグニチャを持つ複数のより低いレートのデータストリームに分けることにより、これを達成してもよく、したがって、受信機が、これらのストリームを複数のチャネルに分離し、ストリームを適切に合成して、高レートのデータ信号を復元することが可能になる。
【００２７】
以下の開示の一部は、ＭＩＭＯ技術もサポートするアクセス端末を説明するが、ＭＩＭＯ技術をサポートしないアクセス端末をサポートするようにも、アクセスポイント１１０を構成してもよい。このアプローチにより、より古いバージョンのアクセス端末（すなわち、”レガシー”端末）を、ワイヤレスネットワーク中に配置したままにし、それらの有効な寿命を延ばすことを可能にする一方で、より新しいＭＩＭＯアクセス端末を適宜導入することが可能になる。
【００２８】
以下に続く詳細な説明では、直交周波数分割多重化（ＯＦＤＭ）のような、何らかの適切なワイヤレス技術をサポートするＭＩＭＯシステムを参照して、開示のさまざまな態様を説明する。ＯＦＤＭは、正確な周波数において間隔が空けられている多数の副搬送波にわたってデータを配信する拡散スペクトル技術である。間隔を空けることは、受信機が副搬送波からデータを復元することを可能にする“直交性”を提供する。ＯＦＤＭシステムは、ＩＥＥＥ８０２．１１または他の何らかのエアインターフェース標準規格を実現してもよい。他の適切なワイヤレス技術は、例として、コード分割多元接続（ＣＤＭＡ）、時分割多元接続（ＴＤＭＡ）、または、他の何らかの適切なワイヤレス技術、あるいは、適切なワイヤレス技術の何らかの組み合わせを含んでいる。ＣＤＭＡシステムは、ＩＳ−２０００、ＩＳ−９５、ＩＳ−８５６、ワイドバンドＣＤＭＡ（ＷＣＤＭＡ）、または、他の何らかの適切なエアインターフェース標準規格を実現してもよい。ＴＤＭＡシステムは、グローバルシステムフォーモバイルコミュニケーション（ＧＳＭ（登録商標））、または、他の何らかの適切なエアインターフェース標準規格を実現してもよい。本開示のさまざまな態様が、何らかの特定のワイヤレス技術および／またはエアインターフェース標準規格に限定されないことを当業者は容易に正しく認識するだろう。
【００２９】
図２は、ＰＨＹレイヤの信号処理機能の例を示す概念的なブロックダイヤグラムである。送信モードでは、ＴＸデータプロセッサ２０２を使用して、ＭＡＣレイヤからデータを受信し、受信ノードにおいて順方向誤り訂正（ＦＥＣ）を促進するために、データをエンコード（例えば、ターボコード）してもよい。エンコーディング処理は、結果としてコードシンボルのシーケンスになり、コードシンボルのシーケンスは、共にブロック化され、ＴＸデータプロセッサ２０２により信号配列にマッピングされて、変調シンボルのシーケンスが生成される。
【００３０】
ＯＦＤＭを実現するワイヤレスノードでは、ＴＸデータプロセッサ２０２からの変調シンボルをＯＦＤＭ変調器２０４に提供してもよい。ＯＦＤＭ変調器２０４は、変調シンボルをパラレルストリームに分ける。各ストリームは、その後、ＯＦＤＭ副搬送波にマッピングされ、そして、逆高速フーリエ変換（ＩＦＦＴ）を使用して合成され、変調シンボルの空間処理を実行するＴＸ空間プロセッサ２０４を生成させる。ＯＦＤＭ変調器２０６に変調シンボルを提供する前に、それらを空間的にプリコーディングすることにより、これを達成してもよい。
【００３１】
ＯＦＤＭ変調器２０６は、変調シンボルをパラレルストリームに分ける。各ストリームは、その後、ＯＦＤＭ副搬送波にマッピングされ、そして、逆高速フーリエ変換（ＩＦＦＴ）を使用して共に合成され、時間ドメインＯＦＤＭストリームが生成される。空間的にプリコーディングされた各ＯＦＤＭストリームは、その後、それぞれのトランシーバ２０８ａ〜２０８ｎを介して、異なるアンテナ２１０ａ〜２１０ｎに提供される。各トランシーバ２０８ａ〜２０８ｎは、ワイヤレスチャネルを通しての送信のために、それぞれのプリコーディングされたストリームによりＲＦ搬送波を変調する。
【００３２】
受信モードでは、各トランシーバ２０８ａ〜２０８ｎは、そのそれぞれのアンテナ２１０ａ〜２１０ｎを通して信号を受信する。各トランシーバ２０８ａ〜２０８ｎを使用して、ＲＦ搬送波上に変調された情報を復元し、ＯＦＤＭ復調器２１０に情報を提供してもよい。
【００３３】
ＲＸ空間プロセッサ２１０は、ワイヤレスノード２００に対して向けられた何らかの空間ストリームを復元するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２１０．２０によりそれらを合成してもよい。
【００３４】
ＯＦＤＭを実現するワイヤレスノードでは、トランシーバ２０８ａ〜２０８ｎからのストリーム（または、合成されたストリーム）が、ＯＦＤＭ復調器２２０に提供される。ＯＦＤＭ復調器２２０は、高速フーリエ変換（ＦＦＴ）を使用して、ストリーム（または、合成されたストリーム）を時間ドメインから周波数ドメインにコンバートする。周波数ドメイン信号は、ＯＦＤＭ信号の各副搬送波に対して別個のストリームを含んでいる。ＯＦＤＭ復調器２２０は、各副搬送波上で運ばれたデータ（すなわち、変調シンボル）を復元し、ＲＸ空間プロセッサ２２２にストリームを送る前に、変調シンボルのストリーム中にデータを多重化する。
【００３５】
ＲＸ空間プロセッサ２２２は、ワイヤレスノード２００に対して向けられた何らかの空間ストリームを復元するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２２２によりそれらを合成してもよい。
【００３６】
ＲＸデータプロセッサ２２４を使用して、変調シンボルを翻訳して信号配列中の正しいポイントに戻してもよい。ワイヤレスチャネル中のノイズおよび他の妨害のために、変調シンボルは、本来の信号配列中のポイントのまさにその位置に対応していないことがある。ＲＸデータプロセッサ２２４は、受信したポイントと、信号配列中の有効なシンボルの位置との間の最短距離を見つけることにより、どの変調シンボルが送信された可能性が最も高いかを検出する。例えば、ターボコードのケースでは、所定の変調シンボルに関係付けられているコードシンボルの対数尤度比（ＬＬＲ）を計算するために、これらの軟判定を使用してもよい。その後、ＲＸデータプロセッサ２２４は、ＭＡＣレイヤにデータを提供する前に、本来送信されたデータをデコードするために、コードシンボルＬＬＲのシーケンスを使用する。
【００３７】
ＳＤＭＡダウンリンクプロトコルは、以下のステップを含んでいてもよい：
（１）すべての潜在的なＳＤＭＡ受信機からのチャネル状態情報（ＣＳＩ）を要求および受信すること；
（２）ダウンリンクＳＤＭＡパケット構築および送信と、ブロック肯定応答（ＡＣＫ）送信時間仕様；ならびに、
（３）ＳＤＭＡ送信の受信局（ＳＴＡ）によるブロックＡＣＫ送信と、ＣＳＩ推定のための方法。
【００３８】
例えば、特定のＳＴＡをターゲットとしたストリームが、他のＳＴＡにおいては低電力干渉として見なされるように、空間ストリームが形成されるので、正確なチャネル状態情報の取得は、ＳＤＭＡプロトコルの価値のある部分である。これらの非干渉ストリームを形成するために、送信ノードは、受信ＳＴＡのそれぞれからのＣＳＩを有している必要がある。１つの態様では、送信ノードは、ＣＳＩを推定する必要があることを示す要求メッセージを送り出す。要求メッセージは、潜在的なＳＤＭＡ送信の受信者である１組のＳＴＡに送られる。このメッセージは、トレーニング要求メッセージ（ＴＲＭ）としても呼ばれる。ここに含まれる開示では、ＳＤＭＡ送信機においてＣＳＩを取得するための２つの例が提供されている：暗示的なＣＳＩ交換と、明示的なＣＳＩ交換である。
【００３９】
図３中のＴＲＭ３００により、ＴＲＭのフォーマットの例が示されている。ＴＲＭ３００のデータ部分は、以下の情報を含むＳＴＡ情報フィールド３１８を含んでいる：
（１）ＳＴＡ−ＩＤフィールド３５２：それに対するＣＳＩを推定することになるＳＴＡ１２０をリスト化；
（２）＃ＳＳフィールド３５４：各ＳＴＡ１２０に対する空間ストリームの数；および、
（３）レンジング情報フィールド３５６：サウンディングシンボル到着時間が、ＡＰ１１０において確実に整列されるようにして、正確なジョイントチャネル推定を確実に行う。
【００４０】
ＴＲＭ３００はまた、ターゲットＲｘ電力フィールド３１２を含んでおり、ターゲットＲｘ電力フィールド３１２は、ＳＴＡのサウンディングフレームがＡＰ１１０においてこの電力で受信されるはずのＲｘ電力である。加えて、ＴＲＭ３００はまた、一体化されたダウンリンク較正手順のために使用される較正ビット３１４を含んでいる。チャネル推定に適用されることになる補正係数をＡＰ１１０が更新できるように、較正は、比較的長い間隔において実行される。
【００４１】
開示の１つの態様において、ＳＴＡ１２０は、ＴＲＭの送信電力を使用して、パス損失を推定し、アップリンクサウンディングフレームに対する送信電力を設定するので、ＴＲＭ３００のような各ＴＲＭは、固定された送信電力で送信される。ＴＲＭ３００は、ＤＡ（ブロードキャスト）フィールド３０６中に、ブロードキャストアドレスに設定されている宛先アドレスを持つレガシーＭＡＣヘッダを含んでいる。宛先アドレスはまた、予め規定されたマルチキャストアドレスに設定することもできる。バックオフ手順を使用して、各ＴＲＭの送信を実行し、１つの態様では、コンテンションベースのアクセスのためにＩＥＥＥ８０２．１１ＭＡＣプロトコル中で規定されている手順を使用して、送信を実行してもよい。
【００４２】
ＭＡＣヘッダ中の持続時間／ＩＤフィールド３０４は、ＳＤＭＡ送信全体と、ブロックＡＣＫ受信とが、遠いところで対処されるように設定されている。開示の１つの態様では、ＴＲＭ３００のような各ＴＲＭは、最も低いレガシー８０２．１１ａ／ｇレートで送信されるので、ワイヤレスネットワーク１００中のすべてのＳＴＡ１２０は、それらのＮＡＶを適切に設定することができる。
【００４３】
ＴＲＭ３００中にリスト化されているＳＴＡ１２０のそれぞれが、いったんＴＲＭ３００を受信すると、それらはそれぞれＣＳＩで応答する。開示のさまざまな態様では、複数のアプローチを使用して、ＳＤＭＡ送信機によりＴＲＭが送信された後にＣＳＩの推定を行ってもよい。
【００４４】
１つの態様は、アップリンクＭＵ−ＭＩＭＯに対して必要とされるタイミングおよび周波数同期化を提供するＡＰ中心のソリューションである。図４は、複数のＳＴＡにおいて最小の時間／周波数同期化要件を必要とすることがあるアップリンクＭＵ−ＭＩＭＯプロトコル４００を示している。示されているように、ＡＰ４０２は、複数のＳＴＡ４１０−１〜４１０−３からサウンディングフレームを要求する。１つの態様では、ＡＰ４０２は、複数のＳＴＡ４１０−１〜４１０−３の部分集合からだけサウンディングフレームを要求してもよい。バッファ状態情報および／またはチャネル状態情報が期限切れになったＳＴＡの部分集合を選択してもよい。
【００４５】
応答して、ＳＴＡ４１０−１〜４１０−３は、示されているようなシリアルな方法でサウンディングフレーム４１２−１〜４１２−３を送る。開示の１つの態様では、短いトレーニングフィールドと、長いトレーニングフィールドとをちょうど有するようにサウンディングフレームが最適化される。ＵＬトラフィック情報フレームは、バッファサイズと、サービス品質（ＱｏＳ）と、遅延要件および待ち時間要件と、オプション的に、チャネルサウンディングフレームおよび／またはＣＱＩとを含むことができる。サウンディングフレーム４１２−１〜４１２−３はシリアルな方法で送られるので、ジョイントダウンリンクチャネルを推定するのに、タイトな周波数および時間同期化は必要とされない。加えて、示されているように、異なるＳＴＡにわたるサウンディング情報フレームとピギーバックされているＣＴＳフレームの間に、短いフレーム間間隔（ＳＩＦＳ）を使用してもよい。開示の別の態様では、ＣＴＳフレームと、サウンディング情報フレームとの間に、減少したフレーム間間隔（ＲＩＦＳ）を使用してもよい。
【００４６】
ＡＰ４０２は、各ＳＴＡ４１０−１〜４１０−３が経験する周波数オフセットを推定することができ、それゆえ、各ＳＴＡ４１０−１〜４１０−３において適用される周波数オフセット補正を決定することができる。
【００４７】
ＡＰ４０２は、その後、ＲＭＣメッセージ４０６中で、この周波数オフセット補正をＳＴＡ４１０−１〜４１０−３にフィードバックする。開示の１つの態様では、ＡＰは、その近隣中の媒体を予約して干渉を避けるために、ＲＭＣメッセージ４０６の一部を使用してＮＡＶを設定する。加えて、ＡＰ４０２は、ＲＭＣメッセージ４０６を送る前に、ＩＥＥＥ８０２．１１標準規格により公布されているような高度分散チャネルアクセス（ＥＤＣＡ）ベースのバックオフ手順にしたがってもよい。ＲＭＣメッセージ４０６は、ＭＡＣ ＩＤおよびＳＴＡに対する決定論的なバックオフ時間を含んでいてもよい。
【００４８】
ＳＴＡ４１０−１〜４１０−３のそれぞれは、データ４０８−１〜４０８−３を送信する前に、周波数補正情報を適用する。ＳＴＡ４１０−１〜４１０−３のそれぞれに対する周波数オフセット補正が正しく適用されているとＡＰ４０２が決定した場合に、ＳＴＡ４１０−１〜４１０−３からのジョイントアップリンク送信は、ゆくゆくは、最小周波数同期化問題を持つＡＰ４０２において受信され、それゆえ、アップリンクＭＵ−ＭＩＭＯ送信としてデコードすることができる。ＡＰは、その後、正しく受信したデータ送信４０８−１〜４０８−３のそれぞれに対応するブロック肯定応答４１４−１〜４１４−３を送ることができる。
【００４９】
ここで説明する周波数オフセット推定（および、他の補正推定）は、局への以前のダウンリンク通信の間に決定された推定（および／または補正）に基づくことができることに留意すべきである。別の態様では、局からのアップリンク通信から、オフセットが決定される。
【００５０】
図５は、複数のＳＴＡを持つワイヤレスシステムにおけるアップリンク（ＵＬ）通信に対するプロセス５００を示しており、ここでは、複数のＳＴＡに対する同期化リソース要件は減少する。ステップ５０２において、ＡＰは、複数のＳＴＡに要求メッセージ（ＴＲＭ）を送る。開示のさまざまな態様では、ＡＰは、その近隣中の媒体を予約するために、ＴＲＭの一部を使用してＮＡＶを設定する。ここで論じるように、ＡＰは、ＴＲＭを送信する前に、８０２．１１標準規格中に記述されているもののような、ＥＤＣＡベースのバックオフ手順にしたがってもよい。ＴＲＭは、ＭＡＣ ＩＤのような識別情報およびＳＴＡに対する決定論的バックオフ時間を含んでいてもよい。ＡＰがバッファ状態情報および／またはチャネル状態情報を期限切れにしたＳＴＡに基づいて、ＡＰは、ＳＴＡを選択してもよい。言い換えると、ＡＰは、ＳＴＡについての情報の適切さに基づいて、ＴＲＭを送るＳＴＡを選択してもよい。
【００５１】
ステップ５０４において、開示の１つの態様では、各ＳＴＡが送ったものをＡＰが受信するだろう。これは、ＴＲＭに応答した、ＵＬトラフィック情報とピギーバックされたＣＴＳフレームである。各ＣＴＳおよびサウンディングフレームを確実に干渉なしで受信するために、複数のＳＴＡにより、シリアルな形で、ＣＴＳおよびサウンディングフレームが送信され、各サウンディングフレームの後と、各ＣＴＳフレームの前との間には、ＳＩＦＳ期間がある。開示の１つの態様では、ＳＴＡは、サウンディングフレームに加えて、バッファサイズと、サービス品質（ＱｏＳ）と、遅延要件および待ち時間要件と、ＣＱＩ情報とを送ってもよい。
【００５２】
その後、ステップ５０６において、ＡＰは、各ＳＴＡに対応するサウンディング情報フレームを使用して、ＵＬ ＭＵ−ＭＩＭＯシグナリング情報を計算する。１つの態様では、ＵＬ ＭＵ−ＭＩＭＯシグナリング情報は、特定のＳＴＡに対して決定した周波数オフセット補正を含んでいる。ＡＰが各ＳＴＡから受信したサウンディングフレームを使用して、ＡＰにより周波数オフセット補正が決定される。さらに、開示の別の態様では、ＵＬ ＭＵ−ＭＩＭＯシグナリング情報は、ＵＬ ＭＵ−ＭＩＭＯ空間ストリームインデックス、フレームインデックス、ＭＣＳ、時間オフセット、周波数オフセット、電力オフセット、および／または、サイクリックプリフィクス長を含むことができる。したがって、ＳＴＡは、ＲＭＣメッセージ中に含まれている時間オフセット、周波数オフセット、および電力オフセットに対して、ＵＬデータならびにＵＬシグナリングを補正することができる。
【００５３】
ＡＰは、その後、ステップ５０８において、ＳＴＡにＵＬ ＭＵ−ＭＩＭＯシグナリング情報を通信することができる。ＵＬ ＭＵ−ＭＩＭＯシグナリング情報は、ＲＭＣメッセージを使用して通信される。ＲＭＣメッセージの一部を使用して、ＵＬ ＭＵ−ＭＩＭＯデータ送信のために媒体を予約する。
【００５４】
いったん、各ＳＴＡが、そのＵＬ ＭＵ−ＭＩＭＯシグナリング情報を受信すると、ＳＴＡは、周波数オフセット補正を使用し、ＭＵ−ＭＩＭＯを使用して、ＵＬデータを送信することができ、これは、ステップ５１０においてＡＰにより受信される。１つの態様では、ＳＴＡは、デジタルドメイン中で周波数オフセット補正を実行することができる。送信サイクルごとに周波数オフセット補正プロセスを実行してもよく、または、代替的に、数サイクルごとにだけ実行してもよい。したがって、複数のフレームにわたって周波数オフセット補正を適用してもよい。１つの態様では、時間同期化に関連する何らかの問題を取り扱うために、各ＳＴＡは、そのＭＵ−ＭＩＭＯ送信に対する拡張されたサイクリックプリフィクスを使用する。各ＵＬフレームは、ＳＴＡの部分集合からのデータ送信を含むことができる。ＳＴＡは、拡張されたサイクリックプリフィックスを使用して、ＵＬデータを送信することができ、サイクリックプリフィックス長は、ＲＭＣメッセージ中で特定されている。
【００５５】
ステップ５１２において、いったん、周波数補正されたＵＬデータをＡＰが受信すると、ＡＰは、そこからのＵＬデータの受信を確認したＳＴＡのそれぞれに対してブロックＡＣＫを送り返すだろう。開示の１つの態様では、ＡＰは、ＳＴＡから受信したサウンディングフレームにより算出したチャネル推定に基づいて、ＭＵ−ＭＩＭＯの形でダウンリンクブロックＡＣＫを送ることができる。加えて、ＡＰは、ダウンリンク中で送る信号をプリコーディングする際にチャネル推定を使用する前に、推定した周波数オフセットを使用して、チャネル推定を補正することができる。
【００５６】
図６は、ＳＤＭＡプリアンブル部分６０２と、制御情報部分６０４〜６２６とを含むサウンディングフレーム６００を示している。開示の１つの態様では、ＳＤＭＡプリアンブル部分６０２の長さは、ＴＲＭ３００中で特定されている空間ストリーム割り振りにより決定される。制御情報部分６０４〜６２６は、以下の情報を提供する：
（１）チャネル品質インジケータ（ＣＱＩ）フィールド６０４：ＣＱＩフィールド６０４は、受信したＴＲＭに対して、すべてのＲｘアンテナおよびトーンにわたって平均した、アンテナ当たりの受信ＳＮＲを含んでいる。行列構築設計がＭＭＳＥ基準に基づいている場合に、この情報により、ＳＤＭＡ送信機がプリコーディング行列を構築することが可能になる。ＣＱＩフィールド６０４中に含まれている情報により、ＳＤＭＡ送信機が、ポスト検出信号対干渉／ノイズ比（ＳＩＮＲ）を推定し、それぞれ応答しているＳＴＡに対して適切な送信レートを割り当てることも可能になる。開示の１つの態様では、静かな期間の間に受信機の周囲の環境ノイズのレベルを測定することにより、ＣＱＩを測定することができる。
【００５７】
（２）アップリンクトラフィックバックログフィールド６０６：アップリンクトラフィックバックログフィールド６０６中に含まれる情報により、ＳＤＭＡ送信機が、アップリンクトラフィックエポックをスケジュールすること、および／または、逆方向認可（ＲＤＧ）を割り当てることが可能になる。アップリンクトラフィックバックログフィールド６０６中に含まれる情報はまた、スケジューラがタイトなスケジュールを生成させることを促進し、それにより、ＭＡＣプロトコルの性能を最適化する。１つの態様では、クラス当たりのベースで、アップリンクトラフィックバックログが提示され、ＶＯ（音声）、ＶＩ（ビデオ）、ＢＥ（ベストエフォート）、および、ＢＫ（バックグラウンド）のフィールド６１２〜６１８は、４つの例示的な優先度クラスを示している。
【００５８】
（３）電力制御フィールド６２０：ここで説明したように、電力制御フィールド６２０中に含まれる送信電力情報は、ＳＴＡによって埋められる。
【００５９】
誤り訂正のためのＣＲＣフィールド６２４と、テールフィールド６２６もまた含まれている。
【００６０】
図７は、開示の１つの態様にしたがった、装置７００の機能性を示すダイヤグラムである。装置７００は、複数の局に補正情報を送るモジュール７０２と；補正情報に基づいて、複数の局のうちの少なくとも１つの局により発生された補正済データを受信するモジュール７０４と；補正済データを空間的に処理するモジュール７０６とを備えている。
【００６１】
図８は、開示の１つの態様にしたがった、装置８００の機能性を示すダイヤグラムである。装置８００は、補正情報を受信するモジュール８０２と；補正情報に基づくデータを送信するモジュール８０４とを備えている。
【００６２】
ここで開示した態様に関連して説明した、さまざまな例示的な論理ブロック、モジュール、プロセッサ、手段、回路およびアルゴリズムステップのうちの任意のものが、電子ハードウェア（例えば、ソースコーディングまたは他の何らかの技術を使用して設計してもよい、デジタルインプリメンテーション、アナログインプリメンテーション、または、２つの組み合わせ）として、（利便性のために、ここでは“ソフトウェア”または“ソフトウェアモジュール”として呼ぶことがある）命令を組み込んださまざまな形態のプログラムまたは設計コードとして、あるいは、双方の組み合わせたものとして実現してもよいことを当業者は正しく認識するであろう。ハードウェアおよびソフトウェアのこの交換可能性を明確に示すために、さまざまな例示的なコンポーネント、ブロック、モジュール、回路およびステップを、一般的にこれらの機能性に関して上記で説明した。このような機能性がハードウェアとしてあるいはソフトウェアとして実現されるか否かは、特定の応用およびシステム全体に課せられた設計の制約に依存する。当業者は、それぞれの特定の応用に対して方法を変化させて、説明した機能性を実現してもよいが、このようなインプリメンテーション決定は、本開示の範囲からの逸脱を生じさせるものとして解釈すべきではない。
【００６３】
先の説明は、当業者が本開示の完全な範囲を十分に理解することが可能になるように提供されている。ここで開示したさまざまなコンフィギュレーションに対する改良は、当業者に容易に明らかになるであろう。したがって、特許請求の範囲は、ここで説明した開示のさまざまな態様に限定されることを意図するものではなく、特許請求の範囲の文言と矛盾しない全範囲に一致させるべきである。ここで、エレメントへの単数形での参照は、そのように特に述べられていない限り、“１つおよび１つのみ”を意味することを意図しているのではなく、むしろ“１つ以上”を意味することを意図している。そうではないと特に述べられていない限り、“いくつかの”という用語は、１つ以上のことを指す。エレメントの組み合わせのうちの少なくとも１つ（例えば、Ａ、Ｂ、または、Ｃのうちの少なくとも１つ）を規定する請求項は、規定されているエレメントのうちの１つ以上（例えば、ＡまたはＢまたはＣ、あるいは、それらの何らかの組み合わせ）のことを指す。当業者に知られている、あるいは、当業者に後に知られることになる、本開示全体を通して説明したさまざまな態様のエレメントに対するすべての構造的および機能的な均等物は、参照によりここに明示的に組み込まれており、特許請求の範囲により含められることを意図している。さらに、ここで開示したものは、このような開示が特許請求の範囲中に明示的に規定されているか否かにかかわらず、公共に捧げられることを意図していない。どの請求項のエレメントも、エレメントが“ミーンズフォー”というフレーズを使用して明確に規定されない限り、または、方法の請求項のケースでは、エレメントが“ステップフォー”というフレーズを使用して規定されない限り、米国特許法第１１２条第６パラグラフの条文の下で解釈すべきではない。
【図１】
2012531829.tif 000003
【図２】
2012531829.tif 000004
【図３】
2012531829.tif 000005
【図４】
2012531829.tif 000006
【図５】
2012531829.tif 000007
【図６】
2012531829.tif 000008
【図７】
2012531829.tif 000009
【図８】
2012531829.tif 000010
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
周波数の補正情報または電力の補正情報のうちの少なくとも１つを複数のワイヤレスノードに送ることと、
前記補正情報に基づいて前記複数のワイヤレスノードのうちの少なくとも１つのワイヤレスノードにより発生された補正済データを受信することと、
前記補正済データを空間的に処理することとを含む方法。
【請求項２】
前記複数のワイヤレスノードに補正情報を送ることは、第２の通信の間に決定された周波数オフセット推定に基づいて、第１の通信中の周波数オフセットを補正するように、前記複数のワイヤレスノード中の少なくとも１つのワイヤレスノードに要求することを含む請求項１記載の方法。
【請求項３】
前記第２の通信は、プリアンブルまたはパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項２記載の方法。
【請求項４】
前記複数のワイヤレスノードに補正情報を送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む請求項１記載の方法。
【請求項５】
前記複数のワイヤレスノードに補正情報を送ることは、第２の通信中に前記少なくとも１つのワイヤレスノードにより決定された電力推定に基づいて、第１の通信中の電力を補正するように、少なくとも１つのワイヤレスノードに要求することを含む請求項１記載の方法。
【請求項６】
前記電力推定は、前記第２の通信からのパケット中のプリアンブルに基づいている請求項５記載の方法。
【請求項７】
アップリンク情報に対する要求を前記複数のワイヤレスノードに送信することをさらに含む請求項１記載の方法。
【請求項８】
前記アップリンク情報に対する要求は、前記要求への少なくとも１つの応答を受信するために使用される送信媒体の予約を含む請求項７記載の方法。
【請求項９】
前記アップリンク情報に対する要求は、バックオフ手順を使用して送信される請求項７記載の方法。
【請求項１０】
前記ワイヤレスノードのうちの少なくとも１つのもののＱｏＳ要件に基づいて、前記複数のワイヤレスノードを選択することをさらに含む請求項１記載の方法。
【請求項１１】
前記補正情報は、さらに、時間の補正情報を含む請求項１記載の方法。
【請求項１２】
前記タイミング補正情報は、拡張されたサイクリックプリフィックスを使用するための、前記複数のワイヤレスノードのうちの少なくとも１つに対する要求を含む請求項１１記載の方法。
【請求項１３】
バックオフ電力値に基づいて、前記電力の補正情報を決定することをさらに含む請求項１記載の方法。
【請求項１４】
そのワイヤレスノードにより送られたサウンディングフレームから、前記複数のワイヤレスノードのうちの１つのワイヤレスノードに対する前記周波数の補正情報を決定することをさらに含む請求項１記載の方法。
【請求項１５】
前記サウンディングフレームは、前記ワイヤレスノードのそれぞれによって送信されたＣＴＳフレームの後に送信されたものである請求項１４記載の方法。
【請求項１６】
前記複数のサウンディングフレームから計算したチャネル推定に基づいて、ＭＵ−ＭＩＭＯ方式で肯定応答メッセージを送信することをさらに含む請求項１４記載の方法。
【請求項１７】
前記肯定応答の送信の前に、チャネル状態情報に基づいて、前記チャネル推定を修正することをさらに含む請求項１６記載の方法。
【請求項１８】
前記複数のワイヤレスノードのうちの少なくとも２つから、前記補正済データを同時に受信する請求項１記載の方法。
【請求項１９】
ワイヤレス通信のための装置において、
周波数の補正情報または電力の補正情報のうちの少なくとも１つを複数のワイヤレスノードに送るようにと、
前記補正情報に基づいて前記複数のワイヤレスノードのうちの少なくとも１つのワイヤレスノードにより発生された補正済データを受信するようにと、
前記補正済データを空間的に処理するように構成されている処理システムを具備する装置。
【請求項２０】
前記処理システムは、第２の通信の間に決定された周波数オフセット推定に基づいて、第１の通信中の周波数オフセットを補正するように、前記複数のワイヤレスノード中の少なくとも１つのワイヤレスノードに要求するようにさらに構成されている請求項１９記載の装置。
【請求項２１】
前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項２０記載の装置。
【請求項２２】
前記複数のワイヤレスノードに補正情報を送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む請求項１９記載の装置。
【請求項２３】
前記処理システムは、第２の通信中に前記少なくとも１つのワイヤレスノードにより決定された電力推定に基づいて、第１の通信中の電力を補正するように、少なくとも１つのワイヤレスノードに要求するようにさらに構成されている請求項１９記載の装置。
【請求項２４】
前記電力推定は、前記第２の通信からのパケット中のプリアンブルに基づいている請求項２３記載の装置。
【請求項２５】
前記処理システムは、アップリンク情報に対する要求を前記複数のワイヤレスノードに送信するようにさらに構成されている請求項１９記載の装置。
【請求項２６】
前記アップリンク情報に対する要求は、前記要求への少なくとも１つの応答を受信するために使用される送信媒体の予約を含む請求項２５記載の装置。
【請求項２７】
前記アップリンク情報に対する要求は、バックオフ手順を使用して送信される請求項２５記載の装置。
【請求項２８】
前記ワイヤレスノードのうちの少なくとも１つのもののＱｏＳ要件に基づいて、前記複数のワイヤレスノードを選択することをさらに含む請求項１９記載の装置。
【請求項２９】
前記補正情報は、さらに、時間の補正情報を含む請求項１９記載の装置。
【請求項３０】
前記タイミング補正情報は、拡張されたサイクリックプリフィックスを使用するための、前記複数のワイヤレスノードのうちの少なくとも１つに対する要求を含む請求項２９記載の装置。
【請求項３１】
前記処理システムは、バックオフ電力値に基づいて、前記電力の補正情報を決定するようにさらに構成されている請求項１９記載の装置。
【請求項３２】
前記処理システムは、そのワイヤレスノードにより送られたサウンディングフレームから、前記複数のワイヤレスノードのうちの１つのワイヤレスノードに対する前記周波数の補正情報を決定するようにさらに構成されている請求項１９記載の装置。
【請求項３３】
前記サウンディングフレームは、前記ワイヤレスノードのそれぞれによって送信されたＣＴＳフレームの後に送信されたものである請求項３２記載の装置。
【請求項３４】
前記処理システムは、前記サウンディングフレームから計算したチャネル推定に基づいて、ＭＵ−ＭＩＭＯ方式で肯定応答メッセージを送信するようにさらに構成されている請求項３２記載の装置。
【請求項３５】
前記処理システムは、前記肯定応答の送信の前に、チャネル状態情報に基づいて、前記チャネル推定を修正するようにさらに構成されている請求項３４記載の装置。
【請求項３６】
前記複数のワイヤレスノードのうちの少なくとも２つから、前記補正済データを同時に受信する請求項１９記載の装置。
【請求項３７】
ワイヤレス通信のための装置において、
周波数の補正情報または電力の補正情報のうちの少なくとも１つを複数のワイヤレスノードに送る手段と、
前記補正情報に基づいて前記複数のワイヤレスノードのうちの少なくとも１つのワイヤレスノードにより発生された補正済データを受信する手段と、
前記補正済データを空間的に処理する手段とを具備する装置。
【請求項３８】
前記複数のワイヤレスノードに補正情報を送る手段は、第２の通信の間に決定された周波数オフセット推定に基づいて、第１の通信中の周波数オフセットを補正するように、前記複数のワイヤレスノード中の少なくとも１つのワイヤレスノードに要求する手段を備える請求項３７記載の装置。
【請求項３９】
前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項３８記載の装置。
【請求項４０】
前記複数のワイヤレスノードに補正情報を送る手段は、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求する手段を備える請求項３７記載の装置。
【請求項４１】
前記複数のワイヤレスノードに補正情報を送る手段は、第２の通信中に前記少なくとも１つのワイヤレスノードにより決定された電力推定に基づいて、第１の通信中の電力を補正するように、少なくとも１つのワイヤレスノードに要求する手段を備える請求項３７記載の装置。
【請求項４２】
前記電力推定は、前記第２の通信からのパケット中のプリアンブルに基づいている請求項４１記載の装置。
【請求項４３】
アップリンク情報に対する要求を前記複数のワイヤレスノードに送信することをさらに具備する請求項３７記載の装置。
【請求項４４】
前記アップリンク情報に対する要求は、前記要求への少なくとも１つの応答を受信するために使用される送信媒体の予約を含む請求項４３記載の装置。
【請求項４５】
前記アップリンク情報に対する要求は、バックオフ手順を使用して送信される請求項４３記載の装置。
【請求項４６】
前記ワイヤレスノードのうちの少なくとも１つのもののＱｏＳ要件に基づいて、前記複数のワイヤレスノードを選択することをさらに具備する請求項３７記載の装置。
【請求項４７】
前記補正情報は、さらに、時間の補正情報を含む請求項３７記載の装置。
【請求項４８】
前記タイミング補正情報は、拡張されたサイクリックプリフィックスを使用するための、前記複数のワイヤレスノードのうちの少なくとも１つに対する要求を含む請求項４７記載の装置。
【請求項４９】
バックオフ電力値に基づいて、前記電力の補正情報を決定する手段をさらに具備する請求項３７記載の装置。
【請求項５０】
そのワイヤレスノードにより送られたサウンディングフレームから、前記複数のワイヤレスノードのうちの１つのワイヤレスノードに対する前記周波数の補正情報を決定する手段をさらに具備する請求項３７記載の装置。
【請求項５１】
前記サウンディングフレームは、前記ワイヤレスノードのそれぞれによって送信されたＣＴＳフレームの後に送信されたものである請求項５０記載の装置。
【請求項５２】
前記サウンディングフレームから計算したチャネル推定に基づいて、ＭＵ−ＭＩＭＯ方式で肯定応答メッセージを送信することをさらに具備する請求項５０記載の装置。
【請求項５３】
前記肯定応答の送信の前に、チャネル状態情報に基づいて、前記チャネル推定を修正することをさらに具備する請求項５２記載の装置。
【請求項５４】
前記複数のワイヤレスノードのうちの少なくとも２つから、前記補正済データを同時に受信する請求項３７記載の装置。
【請求項５５】
ワイヤレス通信のためのコンピュータプログラムプロダクトにおいて、
周波数の補正情報または電力の補正情報のうちの少なくとも１つを複数のワイヤレスノードに送るための実行可能な命令と、
前記補正情報に基づいて前記複数のワイヤレスノードのうちの少なくとも１つのワイヤレスノードにより発生された補正済データを受信するための実行可能な命令と、
前記補正済データを空間的に処理するための実行可能な命令とを含む機械読取可能媒体を具備するコンピュータプログラムプロダクト。
【請求項５６】
アクセスポイントにおいて、
１つ以上のアンテナと、
前記１つ以上のアンテナを介して、周波数の補正情報または電力の補正情報のうちの少なくとも１つを、前記アンテナを通して複数のワイヤレスノードに送るように構成されている送信機と、
前記補正情報に基づいて前記複数のワイヤレスノードのうちの少なくとも１つのワイヤレスノードにより発生された補正済データを受信するように構成されている受信機と、
前記補正済データを空間的に処理するように構成されているプロセッサとを具備するアクセスポイント。
【請求項５７】
ワイヤレス通信のための方法において、
周波数の補正情報または電力の補正情報のうちの少なくとも１つを受信することと、
前記補正情報に基づくデータを送信することとを含む方法。
【請求項５８】
前記補正情報は、さらに、時間の補正情報を含む請求項５７記載の方法。
【請求項５９】
前記補正情報は、バッファサイズ、ＱｏＳ要件、遅延要件、または、待ち時間要件のうちの少なくとも１つをさらに含む請求項５８記載の方法。
【請求項６０】
前記周波数の補正情報を決定することが可能になるように、サウンディングフレームを送信することをさらに含む請求項５８記載の方法。
【請求項６１】
前記サウンディングフレームの前にＣＴＳフレームを送信することをさらに含む請求項６０記載の方法。
【請求項６２】
前記ＣＴＳフレーム送信と、前記サウンディングフレーム送信との間に、減少したフレーム間間隔を提供することをさらに含む請求項６１記載の方法。
【請求項６３】
前記ＣＴＳフレーム送信の前に、短いフレーム間間隔を提供することをさらに含む請求項６１記載の方法。
【請求項６４】
前記サウンディングフレームは、短いトレーニングフィールドと、長いトレーニングフィールドとからなるトレーニング部分を含む請求項６０記載の方法。
【請求項６５】
拡張されたサイクリックプリフィックスを使用して、前記データを送信する請求項５７記載の方法。
【請求項６６】
前記補正情報に基づいて、周波数補正を実行することをさらに含み、デジタルドメインで前記周波数補正を実行する請求項５８記載の方法。
【請求項６７】
ワイヤレス通信のための装置において、
周波数の補正情報または電力の補正情報のうちの少なくとも１つを受信するようにと、
前記補正情報に基づくデータを送信するように構成されている処理システムを具備する装置。
【請求項６８】
前記補正情報は、さらに、時間の補正情報を含む請求項６７記載の装置。
【請求項６９】
前記補正情報は、バッファサイズ、ＱｏＳ要件、遅延要件、または、待ち時間要件のうちの少なくとも１つをさらに含む請求項６８記載の装置。
【請求項７０】
前記処理システムは、前記周波数の補正情報を決定することが可能になるように、サウンディングフレームを送信するようにさらに構成されている請求項６８記載の装置。
【請求項７１】
前記処理システムは、前記サウンディングフレームの前にＣＴＳフレームを送信するようにさらに構成されている請求項７０記載の装置。
【請求項７２】
前記処理システムは、前記ＣＴＳフレーム送信と、前記サウンディングフレーム送信との間に、減少したフレーム間間隔を提供するようにさらに構成されている請求項７１記載の装置。
【請求項７３】
前記処理システムは、前記ＣＴＳフレーム送信の前に、短いフレーム間間隔を提供するようにさらに構成されている請求項７１記載の装置。
【請求項７４】
前記サウンディングフレームは、短いトレーニングフィールドと、長いトレーニングフィールドとからなるトレーニング部分を含む請求項７０記載の装置。
【請求項７５】
拡張されたサイクリックプリフィックスを使用して、前記データを送信する請求項６７記載の装置。
【請求項７６】
前記処理システムは、前記補正情報に基づいて、周波数補正を実行するようにさらに構成され、デジタルドメインで前記周波数補正を実行する請求項６８記載の装置。
【請求項７７】
ワイヤレス通信のための装置において、
周波数の補正情報または電力の補正情報のうちの少なくとも１つを受信する手段と、
前記補正情報に基づくデータを送信する手段とを具備する装置。
【請求項７８】
前記補正情報は、さらに、時間の補正情報を含む請求項７７記載の装置。
【請求項７９】
前記補正情報は、バッファサイズ、ＱｏＳ要件、遅延要件、または、待ち時間要件のうちの少なくとも１つをさらに含む請求項７８記載の装置。
【請求項８０】
前記周波数の補正情報を決定することが可能になるように、サウンディングフレームを送信する手段をさらに具備する請求項７８記載の装置。
【請求項８１】
前記サウンディングフレームの前にＣＴＳフレームを送信する手段をさらに具備する請求項８０記載の装置。
【請求項８２】
前記ＣＴＳフレーム送信と、前記サウンディングフレーム送信との間に、減少したフレーム間間隔を提供する手段をさらに具備する請求項８１記載の装置。
【請求項８３】
前記ＣＴＳフレーム送信の前に、短いフレーム間間隔を提供する手段をさらに具備する請求項８０記載の装置。
【請求項８４】
前記サウンディングフレームは、短いトレーニングフィールドと、長いトレーニングフィールドとからなるトレーニング部分を含む請求項８０記載の装置。
【請求項８５】
拡張されたサイクリックプリフィックスを使用して、前記データを送信する請求項７７記載の装置。
【請求項８６】
前記補正情報に基づいて、周波数補正を実行する手段をさらに具備し、デジタルドメインで前記周波数補正を実行する請求項７８記載の装置。
【請求項８７】
ワイヤレス通信のためのコンピュータプログラムプロダクトにおいて、
周波数の補正情報または電力の補正情報のうちの少なくとも１つを受信するための実行可能な命令と、
前記補正情報に基づくデータを送信するための実行可能な命令とを含む機械読取可能媒体を具備するコンピュータプログラムプロダクト。
【請求項８８】
移動局において、
１つ以上のアンテナと、
１つ以上のアンテナを介して、周波数の補正情報または電力の補正情報のうちの少なくとも１つを受信するように構成されている受信機と、
前記補正情報に基づくデータを送信するように構成されている送信機とを具備する移動局。
【請求項８９】
電子カードにおいて、
周波数の補正情報または電力の補正情報のうちの少なくとも１つを受信するように構成されている受信機と、
１つ以上のアンテナを通して、１つ以上のノードに、前記補正情報に基づくデータを送信するように構成されている送信機とを具備する電子カード。
【手続補正２】
【補正対象書類名】明細書
【補正対象項目名】００６３
【補正方法】変更
【補正の内容】
【００６３】
先の説明は、当業者が本開示の完全な範囲を十分に理解することが可能になるように提供されている。ここで開示したさまざまなコンフィギュレーションに対する改良は、当業者に容易に明らかになるであろう。したがって、特許請求の範囲は、ここで説明した開示のさまざまな態様に限定されることを意図するものではなく、特許請求の範囲の文言と矛盾しない全範囲に一致させるべきである。ここで、エレメントへの単数形での参照は、そのように特に述べられていない限り、“１つおよび１つのみ”を意味することを意図しているのではなく、むしろ“１つ以上”を意味することを意図している。そうではないと特に述べられていない限り、“いくつかの”という用語は、１つ以上のことを指す。エレメントの組み合わせのうちの少なくとも１つ（例えば、Ａ、Ｂ、または、Ｃのうちの少なくとも１つ）を規定する請求項は、規定されているエレメントのうちの１つ以上（例えば、ＡまたはＢまたはＣ、あるいは、それらの何らかの組み合わせ）のことを指す。当業者に知られている、あるいは、当業者に後に知られることになる、本開示全体を通して説明したさまざまな態様のエレメントに対するすべての構造的および機能的な均等物は、参照によりここに明示的に組み込まれており、特許請求の範囲により含められることを意図している。さらに、ここで開示したものは、このような開示が特許請求の範囲中に明示的に規定されているか否かにかかわらず、公共に捧げられることを意図していない。どの請求項のエレメントも、エレメントが“ミーンズフォー”というフレーズを使用して明確に規定されない限り、または、方法の請求項のケースでは、エレメントが“ステップフォー”というフレーズを使用して規定されない限り、米国特許法第１１２条第６パラグラフの条文の下で解釈すべきではない。
以下に、本願出願の当初の特許請求の範囲に記載された発明を付記する。
［１］ワイヤレス通信のための方法において、
複数のワイヤレスノードに補正情報を送ることと、
前記補正情報に基づいて前記複数のワイヤレスノードのうちの少なくとも１つのワイヤレスノードにより発生された補正済データを受信することと、
前記補正済データを空間的に処理することとを含む方法。
［２］前記複数のワイヤレスノードに補正情報を送ることは、第２の通信の間に決定された周波数オフセット推定に基づいて、第１の通信中の周波数オフセットを補正するように、前記複数のワイヤレスノード中の少なくとも１つのワイヤレスノードに要求することを含む［１］に記載の方法。
［３］前記第２の通信は、プリアンブルまたはパイロットのうちの少なくとも１つを含み、前記少なくとも１つのワイヤレスノードは、前記プリアンブルおよび前記パイロットのうちの前記少なくとも１つに基づいて、前記周波数オフセットを推定する［２］に記載の方法。
［４］前記複数のワイヤレスノードに補正情報を送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む［１］に記載の方法。
［５］前記複数のワイヤレスノードに補正情報を送ることは、第２の通信中に前記少なくとも１つのワイヤレスノードにより決定された電力推定に基づいて、第１の通信中の電力を補正するように、少なくとも１つのワイヤレスノードに要求することを含む［１］に記載の方法。
［６］前記電力推定は、前記第２の通信からのパケット中のプリアンブルに基づいている［５］に記載の方法。
［７］アップリンク情報に対する要求を前記複数のワイヤレスノードに送信することをさらに含む［１］に記載の方法。
［８］前記アップリンク情報に対する要求は、前記要求への少なくとも１つの応答を受信するために使用される送信媒体の予約を含む［７］に記載の方法。
［９］前記アップリンク情報に対する要求は、バックオフ手順を使用して送信される［７］に記載の方法。
［１０］前記ワイヤレスノードのうちの少なくとも１つのもののＱｏＳ要件に基づいて、前記複数のワイヤレスノードを選択することをさらに含む［１］に記載の方法。
［１１］前記補正情報は、周波数、時間、または、電力の補正情報のうちの少なくとも１つを含む［１］に記載の方法。
［１２］前記タイミング補正情報は、拡張されたサイクリックプリフィックスを使用するための、前記複数のワイヤレスノードのうちの少なくとも１つに対する要求を含む［１１］に記載の方法。
［１３］バックオフ電力値に基づいて、前記電力の補正情報を決定することをさらに含む［１１］に記載の方法。
［１４］そのワイヤレスノードにより送られた複数のサウンディングフレームから、前記ワイヤレスノードに対する前記周波数の補正情報を決定することをさらに含む［１１］に記載の方法。
［１５］前記複数のサウンディングフレーム中の各サウンディングフレームは、前記ワイヤレスノードのそれぞれによって送信されたＣＴＳフレームの一部として送信されたものである［１４］に記載の方法。
［１６］前記複数のサウンディングフレームから計算したチャネル推定に基づいて、ＭＵ−ＭＩＭＯ方式で肯定応答メッセージを送信することをさらに含む［１４］に記載の方法。
［１７］前記肯定応答の送信の前に、チャネル状態情報に基づいて、前記チャネル推定を修正することをさらに含む［１６］に記載の方法。
［１８］前記複数のワイヤレスノードのうちの少なくとも２つから、前記補正済データを同時に受信する［１］に記載の方法。
［１９］ワイヤレス通信のための装置において、
複数のワイヤレスノードに補正情報を送るようにと、
前記補正情報に基づいて前記複数のワイヤレスノードのうちの少なくとも１つのワイヤレスノードにより発生された補正済データを受信するようにと、
前記補正済データを空間的に処理するように構成されている処理システムを具備する装置。
［２０］前記処理システムは、第２の通信の間に決定された周波数オフセット推定に基づいて、第１の通信中の周波数オフセットを補正するように、前記複数のワイヤレスノード中の少なくとも１つのワイヤレスノードに要求するようにさらに構成されている［１９］に記載の装置。
［２１］前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する［２０］に記載の装置。
［２２］前記複数のワイヤレスノードに補正情報を送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む［１９］に記載の装置。
［２３］前記処理システムは、第２の通信中に前記少なくとも１つのワイヤレスノードにより決定された電力推定に基づいて、第１の通信中の電力を補正するように、少なくとも１つのワイヤレスノードに要求するようにさらに構成されている［１９］に記載の装置。
［２４］前記電力推定は、前記第２の通信からのパケット中のプリアンブルに基づいている［２３］に記載の装置。
［２５］前記処理システムは、アップリンク情報に対する要求を前記複数のワイヤレスノードに送信するようにさらに構成されている［１９］に記載の装置。
［２６］前記アップリンク情報に対する要求は、前記要求への少なくとも１つの応答を受信するために使用される送信媒体の予約を含む［２５］に記載の装置。
［２７］前記アップリンク情報に対する要求は、バックオフ手順を使用して送信される［２５］に記載の装置。
［２８］前記ワイヤレスノードのうちの少なくとも１つのもののＱｏＳ要件に基づいて、前記複数のワイヤレスノードを選択することをさらに含む［１９］に記載の装置。
［２９］前記補正情報は、周波数、時間、または、電力の補正情報のうちの少なくとも１つを含む［１９］に記載の装置。
［３０］前記タイミング補正情報は、拡張されたサイクリックプリフィックスを使用するための、前記複数のワイヤレスノードのうちの少なくとも１つに対する要求を含む［２９］に記載の装置。
［３１］前記処理システムは、バックオフ電力値に基づいて、前記電力の補正情報を決定するようにさらに構成されている［２９］に記載の装置。
［３２］前記処理システムは、そのワイヤレスノードにより送られた複数のサウンディングフレームから、前記ワイヤレスノードに対する前記周波数の補正情報を決定するようにさらに構成されている［２９］に記載の装置。
［３３］前記複数のサウンディングフレーム中の各サウンディングフレームは、前記ワイヤレスノードのそれぞれによって送信されたＣＴＳフレームの一部として送信されたものである［３２］に記載の装置。
［３４］前記処理システムは、前記複数のサウンディングフレームから計算したチャネル推定に基づいて、ＭＵ−ＭＩＭＯ方式で肯定応答メッセージを送信するようにさらに構成されている［３２］に記載の装置。
［３５］前記処理システムは、前記肯定応答の送信の前に、チャネル状態情報に基づいて、前記チャネル推定を修正するようにさらに構成されている［３４］に記載の装置。
［３６］前記複数のワイヤレスノードのうちの少なくとも２つから、前記補正済データを同時に受信する［１９］に記載の装置。
［３７］ワイヤレス通信のための装置において、
複数のワイヤレスノードに補正情報を送る手段と、
前記補正情報に基づいて前記複数のワイヤレスノードのうちの少なくとも１つのワイヤレスノードにより発生された補正済データを受信する手段と、
前記補正済データを空間的に処理する手段とを具備する装置。
［３８］前記複数のワイヤレスノードに補正情報を送る手段は、第２の通信の間に決定された周波数オフセット推定に基づいて、第１の通信中の周波数オフセットを補正するように、前記複数のワイヤレスノード中の少なくとも１つのワイヤレスノードに要求する手段を備える［３７］に記載の装置。
［３９］前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する［３８］に記載の装置。
［４０］前記複数のワイヤレスノードに補正情報を送る手段は、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求する手段を備える［３７］に記載の装置。
［４１］前記複数のワイヤレスノードに補正情報を送る手段は、第２の通信中に前記少なくとも１つのワイヤレスノードにより決定された電力推定に基づいて、第１の通信中の電力を補正するように、少なくとも１つのワイヤレスノードに要求する手段を備える［３７］に記載の装置。
［４２］前記電力推定は、前記第２の通信からのパケット中のプリアンブルに基づいている［４１］に記載の装置。
［４３］アップリンク情報に対する要求を前記複数のワイヤレスノードに送信することをさらに含む［３７］に記載の装置。
［４４］前記アップリンク情報に対する要求は、前記要求への少なくとも１つの応答を受信するために使用される送信媒体の予約を含む［４３］に記載の装置。
［４５］前記アップリンク情報に対する要求は、バックオフ手順を使用して送信される［４３］に記載の装置。
［４６］前記ワイヤレスノードのうちの少なくとも１つのもののＱｏＳ要件に基づいて、前記複数のワイヤレスノードを選択することをさらに含む［３７］に記載の装置。
［４７］前記補正情報は、周波数、時間、または、電力の補正情報のうちの少なくとも１つを含む［３７］に記載の装置。
［４８］前記タイミング補正情報は、拡張されたサイクリックプリフィックスを使用するための、前記複数のワイヤレスノードのうちの少なくとも１つに対する要求を含む［４７］に記載の装置。
［４９］バックオフ電力値に基づいて、前記電力の補正情報を決定する手段をさらに具備する［４７］に記載の装置。
［５０］そのワイヤレスノードにより送られた複数のサウンディングフレームから、前記ワイヤレスノードに対する前記周波数の補正情報を決定する手段をさらに具備する［４７］に記載の装置。
［５１］前記複数のサウンディングフレーム中の各サウンディングフレームは、前記ワイヤレスノードのそれぞれによって送信されたＣＴＳフレームの一部として送信されたものである［５０］に記載の装置。
［５２］前記複数のサウンディングフレームから計算したチャネル推定に基づいて、ＭＵ−ＭＩＭＯ方式で肯定応答メッセージを送信することをさらに含む［５０］に記載の装置。
［５３］前記肯定応答の送信の前に、チャネル状態情報に基づいて、前記チャネル推定を修正することをさらに含む［５２］に記載の装置。
［５４］前記複数のワイヤレスノードのうちの少なくとも２つから、前記補正済データを同時に受信する［３７］に記載の装置。
［５５］ワイヤレス通信のためのコンピュータプログラムプロダクトにおいて、
複数のワイヤレスノードに補正情報を送るための実行可能な命令と、
前記補正情報に基づいて前記複数のワイヤレスノードのうちの少なくとも１つのワイヤレスノードにより発生された補正済データを受信するための実行可能な命令と、
前記補正済データを空間的に処理するための実行可能な命令とを含む機械読取可能媒体を具備するコンピュータプログラムプロダクト。
［５６］アクセスポイントにおいて、
１つ以上のアンテナと、
前記１つ以上のアンテナを介して、前記アンテナを通して複数のワイヤレスノードに補正情報を送るように構成されている送信機と、
前記補正情報に基づいて前記複数のワイヤレスノードのうちの少なくとも１つのワイヤレスノードにより発生された補正済データを受信するように構成されている受信機と、
前記補正済データを空間的に処理するように構成されているプロセッサとを具備するアクセスポイント。
［５７］ワイヤレス通信のための方法において、
補正情報を受信することと、
前記補正情報に基づくデータを送信することとを含む方法。
［５８］前記補正情報は、周波数、時間、または、電力の補正情報のうちの少なくとも１つを含む［５７］に記載の方法。
［５９］前記補正情報は、バッファサイズ、ＱｏＳ要件、遅延要件、または、待ち時間要件のうちの少なくとも１つをさらに含む［５８］に記載の方法。
［６０］前記周波数の補正情報を決定することが可能になるように、サウンディングフレームを送信することをさらに含む［５８］に記載の方法。
［６１］前記サウンディングフレームの前にＣＴＳフレームを送信することをさらに含む［６０］に記載の方法。
［６２］前記ＣＴＳフレーム送信と、少なくとも１つのサウンディングフレーム送信との間に、減少したフレーム間間隔を提供することをさらに含む［６１］に記載の方法。
［６３］前記ＣＴＳフレーム送信の前に、短いフレーム間間隔を提供することをさらに含む［６１］に記載の方法。
［６４］前記サウンディングフレームは、短いトレーニングフィールドと、長いトレーニングフィールドとからなるトレーニング部分を含む［６０］に記載の方法。
［６５］拡張されたサイクリックプリフィックスを使用して、前記データを送信する［５７］に記載の方法。
［６６］前記補正情報に基づいて、周波数補正を実行することをさらに含み、デジタルドメインで前記周波数補正を実行する［５８］に記載の方法。
［６７］ワイヤレス通信のための装置において、
補正情報を受信するようにと、
前記補正情報に基づくデータを送信するように構成されている処理システムを具備する装置。
［６８］前記補正情報は、周波数、時間、または、電力の補正情報のうちの少なくとも１つを含む［６７］に記載の装置。
［６９］前記補正情報は、バッファサイズ、ＱｏＳ要件、遅延要件、または、待ち時間要件のうちの少なくとも１つをさらに含む［６８］に記載の装置。
［７０］前記処理システムは、前記周波数の補正情報を決定することが可能になるように、サウンディングフレームを送信するようにさらに構成されている［６８］に記載の装置。
［７１］前記処理システムは、前記サウンディングフレームの前にＣＴＳフレームを送信するようにさらに構成されている［７０］に記載の装置。
［７２］前記処理システムは、前記ＣＴＳフレーム送信と、少なくとも１つのサウンディングフレーム送信との間に、減少したフレーム間間隔を提供するようにさらに構成されている［７１］に記載の装置。
［７３］前記処理システムは、前記ＣＴＳフレーム送信の前に、短いフレーム間間隔を提供するようにさらに構成されている［７１］に記載の装置。
［７４］前記サウンディングフレームは、短いトレーニングフィールドと、長いトレーニングフィールドとからなるトレーニング部分を含む［７０］に記載の装置。
［７５］拡張されたサイクリックプリフィックスを使用して、前記データを送信する［６７］に記載の装置。
［７６］前記処理システムは、前記補正情報に基づいて、周波数補正を実行するようにさらに構成され、デジタルドメインで前記周波数補正を実行する［６８］に記載の装置。
［７７］ワイヤレス通信のための装置において、
補正情報を受信する手段と、
前記補正情報に基づくデータを送信する手段とを具備する装置。
［７８］前記補正情報は、周波数、時間、または、電力の補正情報のうちの少なくとも１つを含む［７７］に記載の装置。
［７９］前記補正情報は、バッファサイズ、ＱｏＳ要件、遅延要件、または、待ち時間要件のうちの少なくとも１つをさらに含む［７８］に記載の装置。
［８０］前記周波数の補正情報を決定することが可能になるように、サウンディングフレームを送信する手段をさらに具備する［７８］に記載の装置。
［８１］前記サウンディングフレームの前にＣＴＳフレームを送信する手段をさらに具備する［８０］に記載の装置。
［８２］前記ＣＴＳフレーム送信と、少なくとも１つのサウンディングフレーム送信との間に、減少したフレーム間間隔を提供する手段をさらに具備する［８１］に記載の装置。
［８３］前記ＣＴＳフレーム送信の前に、短いフレーム間間隔を提供する手段をさらに具備する［８０］に記載の装置。
［８４］前記サウンディングフレームは、短いトレーニングフィールドと、長いトレーニングフィールドとからなるトレーニング部分を含む［８０］に記載の装置。
［８５］拡張されたサイクリックプリフィックスを使用して、前記データを送信する［７７］に記載の装置。
［８６］前記補正情報に基づいて、周波数補正を実行する手段をさらに具備し、デジタルドメインで前記周波数補正を実行する［７８］に記載の装置。
［８７］ワイヤレス通信のためのコンピュータプログラムプロダクトにおいて、
補正情報を受信するための実行可能な命令と、
前記補正情報に基づくデータを送信するための実行可能な命令とを含む機械読取可能媒体を具備するコンピュータプログラムプロダクト。
［８８］移動局において、
１つ以上のアンテナと、
１つ以上のアンテナを介して、補正情報を受信するように構成されている受信機と、
前記補正情報に基づくデータを送信するように構成されている送信機とを具備する移動局。
［８９］電子カードにおいて、
補正情報を受信するように構成されている受信機と、
１つ以上のアンテナを通して、１つ以上のノードに、前記補正情報に基づくデータを送信するように構成されている送信機とを具備する電子カード。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
周波数の補正情報または電力の補正情報のうちの少なくとも１つを複数のワイヤレスノードに送ることと、
前記補正情報に基づいて前記複数のワイヤレスノードのうちの少なくとも１つのワイヤレスノードにより発生された補正済データを受信することと、
前記補正済データを空間的に処理することとを含む方法。
【請求項２】
前記周波数の補正情報または電力の補正情報のうちの少なくとも１つを複数のワイヤレスノードに送ることは、第２の通信の間に決定された周波数オフセット推定に基づいて、第１の通信中の周波数オフセットを補正するように、前記複数のワイヤレスノード中の少なくとも１つのワイヤレスノードに要求することを含む請求項１記載の方法。
【請求項３】
前記第２の通信は、プリアンブルまたはパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項２記載の方法。
【請求項４】
前記周波数の補正情報または電力の補正情報のうちの少なくとも１つを複数のワイヤレスノードに送ることは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求することを含む請求項１記載の方法。
【請求項５】
前記周波数の補正情報または電力の補正情報のうちの少なくとも１つを複数のワイヤレスノードに送ることは、第２の通信中に前記少なくとも１つのワイヤレスノードにより決定された電力推定に基づいて、第１の通信中の電力を補正するように、少なくとも１つのワイヤレスノードに要求することを含む請求項１記載の方法。
【請求項６】
前記電力推定は、前記第２の通信からのパケット中のプリアンブルに基づいている請求項５記載の方法。
【請求項７】
アップリンク情報に対する要求を前記複数のワイヤレスノードに送信することをさらに含む請求項１記載の方法。
【請求項８】
前記アップリンク情報に対する要求は、前記要求への少なくとも１つの応答を受信するために使用される送信媒体の予約を含む請求項７記載の方法。
【請求項９】
前記アップリンク情報に対する要求は、バックオフ手順を使用して送信される請求項７記載の方法。
【請求項１０】
前記ワイヤレスノードのうちの少なくとも１つのもののＱｏＳ要件に基づいて、前記複数のワイヤレスノードを選択することをさらに含む請求項１記載の方法。
【請求項１１】
時間の補正情報を前記複数のワイヤレスノードに送ることをさらに含む請求項１記載の方法。
【請求項１２】
前記時間の補正情報は、拡張されたサイクリックプリフィックスを使用するための、前記複数のワイヤレスノードのうちの少なくとも１つに対する要求を含む請求項１１記載の方法。
【請求項１３】
バックオフ電力値に基づいて、前記電力の補正情報を決定することをさらに含む請求項１記載の方法。
【請求項１４】
そのワイヤレスノードにより送られたサウンディングフレームから、前記複数のワイヤレスノードのうちの１つのワイヤレスノードに対する前記周波数の補正情報を決定することをさらに含む請求項１記載の方法。
【請求項１５】
前記サウンディングフレームは、前記ワイヤレスノードのそれぞれによって送信されたＣＴＳフレームの後に送信されたものである請求項１４記載の方法。
【請求項１６】
前記サウンディングフレームから計算したチャネル推定に基づいて、ＭＵ−ＭＩＭＯ方式で肯定応答メッセージを送信することをさらに含む請求項１４記載の方法。
【請求項１７】
前記肯定応答の送信の前に、チャネル状態情報に基づいて、前記チャネル推定を修正することをさらに含む請求項１６記載の方法。
【請求項１８】
前記複数のワイヤレスノードのうちの少なくとも２つから、前記補正済データを同時に受信する請求項１記載の方法。
【請求項１９】
ワイヤレス通信のための装置において、
周波数の補正情報または電力の補正情報のうちの少なくとも１つを複数のワイヤレスノードに送るようにと、
前記補正情報に基づいて前記複数のワイヤレスノードのうちの少なくとも１つのワイヤレスノードにより発生された補正済データを受信するようにと、
前記補正済データを空間的に処理するように構成されている処理システムを具備する装置。
【請求項２０】
前記処理システムは、第２の通信の間に決定された周波数オフセット推定に基づいて、第１の通信中の周波数オフセットを補正するように、前記複数のワイヤレスノード中の少なくとも１つのワイヤレスノードに要求するようにさらに構成されている請求項１９記載の装置。
【請求項２１】
前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項２０記載の装置。
【請求項２２】
前記処理システムは、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求するようにさらに構成されている請求項１９記載の装置。
【請求項２３】
前記処理システムは、第２の通信中に前記少なくとも１つのワイヤレスノードにより決定された電力推定に基づいて、第１の通信中の電力を補正するように、少なくとも１つのワイヤレスノードに要求するようにさらに構成されている請求項１９記載の装置。
【請求項２４】
前記電力推定は、前記第２の通信からのパケット中のプリアンブルに基づいている請求項２３記載の装置。
【請求項２５】
前記処理システムは、アップリンク情報に対する要求を前記複数のワイヤレスノードに送信するようにさらに構成されている請求項１９記載の装置。
【請求項２６】
前記アップリンク情報に対する要求は、前記要求への少なくとも１つの応答を受信するために使用される送信媒体の予約を含む請求項２５記載の装置。
【請求項２７】
前記アップリンク情報に対する要求は、バックオフ手順を使用して送信される請求項２５記載の装置。
【請求項２８】
前記処理システムは、前記ワイヤレスノードのうちの少なくとも１つのもののＱｏＳ要件に基づいて、前記複数のワイヤレスノードを選択するようにさらに構成されている請求項１９記載の装置。
【請求項２９】
前記処理システムは、時間の補正情報を前記複数のワイヤレスノードに送るようにさらに構成されている請求項１９記載の装置。
【請求項３０】
前記時間の補正情報は、拡張されたサイクリックプリフィックスを使用するための、前記複数のワイヤレスノードのうちの少なくとも１つに対する要求を含む請求項２９記載の装置。
【請求項３１】
前記処理システムは、バックオフ電力値に基づいて、前記電力の補正情報を決定するようにさらに構成されている請求項１９記載の装置。
【請求項３２】
前記処理システムは、そのワイヤレスノードにより送られたサウンディングフレームから、前記複数のワイヤレスノードのうちの１つのワイヤレスノードに対する前記周波数の補正情報を決定するようにさらに構成されている請求項１９記載の装置。
【請求項３３】
前記サウンディングフレームは、前記ワイヤレスノードのそれぞれによって送信されたＣＴＳフレームの後に送信されたものである請求項３２記載の装置。
【請求項３４】
前記処理システムは、前記サウンディングフレームから計算したチャネル推定に基づいて、ＭＵ−ＭＩＭＯ方式で肯定応答メッセージを送信するようにさらに構成されている請求項３２記載の装置。
【請求項３５】
前記処理システムは、前記肯定応答の送信の前に、チャネル状態情報に基づいて、前記チャネル推定を修正するようにさらに構成されている請求項３４記載の装置。
【請求項３６】
前記複数のワイヤレスノードのうちの少なくとも２つから、前記補正済データを同時に受信する請求項１９記載の装置。
【請求項３７】
ワイヤレス通信のための装置において、
周波数の補正情報または電力の補正情報のうちの少なくとも１つを複数のワイヤレスノードに送る手段と、
前記補正情報に基づいて前記複数のワイヤレスノードのうちの少なくとも１つのワイヤレスノードにより発生された補正済データを受信する手段と、
前記補正済データを空間的に処理する手段とを具備する装置。
【請求項３８】
前記周波数の補正情報または電力の補正情報のうちの少なくとも１つを複数のワイヤレスノードに送る手段は、第２の通信の間に決定された周波数オフセット推定に基づいて、第１の通信中の周波数オフセットを補正するように、前記複数のワイヤレスノード中の少なくとも１つのワイヤレスノードに要求する手段を備える請求項３７記載の装置。
【請求項３９】
前記第２の通信は、プリアンブルおよびパイロットのうちの少なくとも１つを含み、前記少なくとも１つのワイヤレスノードは、前記プリアンブルおよび前記パイロットのうちの前記少なくとも１つに基づいて、前記周波数オフセットを推定する請求項３８記載の装置。
【請求項４０】
前記周波数の補正情報または電力の補正情報のうちの少なくとも１つを複数のワイヤレスノードに送る手段は、前記少なくとも１つのワイヤレスノードからの以前の通信の間に決定された周波数オフセット推定に基づいて、通信中の周波数オフセットを補正するように、前記複数のワイヤレスノード中の少なくとも１つのワイヤレスノードに要求する手段を備える請求項３７記載の装置。
【請求項４１】
前記周波数の補正情報または電力の補正情報のうちの少なくとも１つを複数のワイヤレスノードに送る手段は、第２の通信中に前記少なくとも１つのワイヤレスノードにより決定された電力推定に基づいて、第１の通信中の電力を補正するように、少なくとも１つのワイヤレスノードに要求する手段を備える請求項３７記載の装置。
【請求項４２】
前記電力推定は、前記第２の通信からのパケット中のプリアンブルに基づいている請求項４１記載の装置。
【請求項４３】
アップリンク情報に対する要求を前記複数のワイヤレスノードに送信する手段をさらに具備する請求項３７記載の装置。
【請求項４４】
前記アップリンク情報に対する要求は、前記要求への少なくとも１つの応答を受信するために使用される送信媒体の予約を含む請求項４３記載の装置。
【請求項４５】
前記アップリンク情報に対する要求は、バックオフ手順を使用して送信される請求項４３記載の装置。
【請求項４６】
前記ワイヤレスノードのうちの少なくとも１つのもののＱｏＳ要件に基づいて、前記複数のワイヤレスノードを選択する手段をさらに具備する請求項３７記載の装置。
【請求項４７】
時間の補正情報を前記複数のノードに送る手段をさらに具備する請求項３７記載の装置。
【請求項４８】
前記時間の補正情報は、拡張されたサイクリックプリフィックスを使用するための、前記複数のワイヤレスノードのうちの少なくとも１つに対する要求を含む請求項４７記載の装置。
【請求項４９】
バックオフ電力値に基づいて、前記電力の補正情報を決定する手段をさらに具備する請求項３７記載の装置。
【請求項５０】
そのワイヤレスノードにより送られたサウンディングフレームから、前記複数のワイヤレスノードのうちの１つのワイヤレスノードに対する前記周波数の補正情報を決定する手段をさらに具備する請求項３７記載の装置。
【請求項５１】
前記サウンディングフレームは、前記ワイヤレスノードのそれぞれによって送信されたＣＴＳフレームの後に送信されたものである請求項５０記載の装置。
【請求項５２】
前記サウンディングフレームから計算したチャネル推定に基づいて、ＭＵ−ＭＩＭＯ方式で肯定応答メッセージを送信する手段をさらに具備する請求項５０記載の装置。
【請求項５３】
前記肯定応答の送信の前に、チャネル状態情報に基づいて、前記チャネル推定を修正する手段をさらに具備する請求項５２記載の装置。
【請求項５４】
前記複数のワイヤレスノードのうちの少なくとも２つから、前記補正済データを同時に受信する請求項３７記載の装置。
【請求項５５】
ワイヤレス通信のための機械読取可能記憶媒体において、
周波数の補正情報または電力の補正情報のうちの少なくとも１つを複数のワイヤレスノードに送るための実行可能な命令と、
前記補正情報に基づいて前記複数のワイヤレスノードのうちの少なくとも１つのワイヤレスノードにより発生された補正済データを受信するための実行可能な命令と、
前記補正済データを空間的に処理するための実行可能な命令とを含む機械読取可能記憶媒体。
【請求項５６】
アクセスポイントにおいて、
１つ以上のアンテナと、
前記１つ以上のアンテナを介して、周波数の補正情報または電力の補正情報のうちの少なくとも１つを複数のワイヤレスノードに送るように構成されている送信機と、
前記補正情報に基づいて前記複数のワイヤレスノードのうちの少なくとも１つのワイヤレスノードにより発生された補正済データを受信するように構成されている受信機と、
前記補正済データを空間的に処理するように構成されているプロセッサとを具備するアクセスポイント。
【請求項５７】
ワイヤレス通信のための方法において、
周波数の補正情報または電力の補正情報のうちの少なくとも１つを受信することと、
前記補正情報に基づくデータを送信することとを含む方法。
【請求項５８】
前記補正情報は、さらに、時間の補正情報を含む請求項５７記載の方法。
【請求項５９】
前記補正情報は、バッファサイズ、ＱｏＳ要件、遅延要件、または、待ち時間要件のうちの少なくとも１つをさらに含む請求項５８記載の方法。
【請求項６０】
前記周波数の補正情報を決定することが可能になるように、サウンディングフレームを送信することをさらに含む請求項５８記載の方法。
【請求項６１】
前記サウンディングフレームの前にＣＴＳフレームを送信することをさらに含む請求項６０記載の方法。
【請求項６２】
前記ＣＴＳフレーム送信と、前記サウンディングフレーム送信との間に、減少したフレーム間間隔を提供することをさらに含む請求項６１記載の方法。
【請求項６３】
前記ＣＴＳフレーム送信の前に、短いフレーム間間隔を提供することをさらに含む請求項６１記載の方法。
【請求項６４】
前記サウンディングフレームは、短いトレーニングフィールドと、長いトレーニングフィールドとからなるトレーニング部分を含む請求項６０記載の方法。
【請求項６５】
拡張されたサイクリックプリフィックスを使用して、前記データを送信する請求項５７記載の方法。
【請求項６６】
前記補正情報に基づいて、周波数補正を実行することをさらに含み、デジタルドメインで前記周波数補正を実行する請求項５８記載の方法。
【請求項６７】
ワイヤレス通信のための装置において、
周波数の補正情報または電力の補正情報のうちの少なくとも１つを受信するようにと、
前記補正情報に基づくデータを送信するように構成されている処理システムを具備する装置。
【請求項６８】
前記補正情報は、さらに、時間の補正情報を含む請求項６７記載の装置。
【請求項６９】
前記補正情報は、バッファサイズ、ＱｏＳ要件、遅延要件、または、待ち時間要件のうちの少なくとも１つをさらに含む請求項６８記載の装置。
【請求項７０】
前記処理システムは、前記周波数の補正情報を決定することが可能になるように、サウンディングフレームを送信するようにさらに構成されている請求項６８記載の装置。
【請求項７１】
前記処理システムは、前記サウンディングフレームの前にＣＴＳフレームを送信するようにさらに構成されている請求項７０記載の装置。
【請求項７２】
前記処理システムは、前記ＣＴＳフレーム送信と、前記サウンディングフレーム送信との間に、減少したフレーム間間隔を提供するようにさらに構成されている請求項７１記載の装置。
【請求項７３】
前記処理システムは、前記ＣＴＳフレーム送信の前に、短いフレーム間間隔を提供するようにさらに構成されている請求項７１記載の装置。
【請求項７４】
前記サウンディングフレームは、短いトレーニングフィールドと、長いトレーニングフィールドとからなるトレーニング部分を含む請求項７０記載の装置。
【請求項７５】
拡張されたサイクリックプリフィックスを使用して、前記データを送信する請求項６７記載の装置。
【請求項７６】
前記処理システムは、前記補正情報に基づいて、周波数補正を実行するようにさらに構成され、デジタルドメインで前記周波数補正を実行する請求項６８記載の装置。
【請求項７７】
ワイヤレス通信のための装置において、
周波数の補正情報または電力の補正情報のうちの少なくとも１つを受信する手段と、
前記補正情報に基づくデータを送信する手段とを具備する装置。
【請求項７８】
前記補正情報は、さらに、時間の補正情報を含む請求項７７記載の装置。
【請求項７９】
前記補正情報は、バッファサイズ、ＱｏＳ要件、遅延要件、または、待ち時間要件のうちの少なくとも１つをさらに含む請求項７８記載の装置。
【請求項８０】
前記周波数の補正情報を決定することが可能になるように、サウンディングフレームを送信する手段をさらに具備する請求項７８記載の装置。
【請求項８１】
前記サウンディングフレームの前にＣＴＳフレームを送信する手段をさらに具備する請求項８０記載の装置。
【請求項８２】
前記ＣＴＳフレーム送信と、前記サウンディングフレーム送信との間に、減少したフレーム間間隔を提供する手段をさらに具備する請求項８１記載の装置。
【請求項８３】
前記ＣＴＳフレーム送信の前に、短いフレーム間間隔を提供する手段をさらに具備する請求項８０記載の装置。
【請求項８４】
前記サウンディングフレームは、短いトレーニングフィールドと、長いトレーニングフィールドとからなるトレーニング部分を含む請求項８０記載の装置。
【請求項８５】
拡張されたサイクリックプリフィックスを使用して、前記データを送信する請求項７７記載の装置。
【請求項８６】
前記補正情報に基づいて、周波数補正を実行する手段をさらに具備し、デジタルドメインで前記周波数補正を実行する請求項７８記載の装置。
【請求項８７】
ワイヤレス通信のための機械読取可能記憶媒体において、
周波数の補正情報または電力の補正情報のうちの少なくとも１つを受信するための実行可能な命令と、
前記補正情報に基づくデータを送信するための実行可能な命令とを含む機械読取可能記憶媒体。
【請求項８８】
移動局において、
１つ以上のアンテナと、
前記１つ以上のアンテナを介して、周波数の補正情報または電力の補正情報のうちの少なくとも１つを受信するように構成されている受信機と、
前記補正情報に基づくデータを送信するように構成されている送信機とを具備する移動局。
【請求項８９】
電子カードにおいて、
周波数の補正情報または電力の補正情報のうちの少なくとも１つを受信するように構成されている受信機と、
１つ以上のアンテナを通して、１つ以上のノードに、前記補正情報に基づくデータを送信するように構成されている送信機とを具備する電子カード。
【手続補正２】
【補正対象書類名】明細書
【補正対象項目名】００２６
【補正方法】変更
【補正の内容】
【００２６】
ある機能性をイネーブルするために、１つ以上のアクセス端末１２０には、複数のアンテナが装備されている。このコンフィギュレーションでは、例えば、アクセスポイント１１０における複数のアンテナを使用して、複数のアンテナアクセス端末と通信して、付加的な帯域幅または送信電力なしでデータスループットを向上させることができる。送信機における高データレート信号を、異なる空間シグニチャを持つ複数のより低いレートのデータストリームに分けることにより、これを達成してもよく、したがって、受信機が、これらのストリームを複数のチャネルに分離し、ストリームを適切に合成して、高レートのデータ信号を復元することが可能になる。
【手続補正３】
【補正対象書類名】明細書
【補正対象項目名】００３０
【補正方法】変更
【補正の内容】
【００３０】
ＯＦＤＭを実現するワイヤレスノードでは、ＴＸデータプロセッサ２０２からの変調シンボルを、変調シンボルの空間処理を実行するＴＸ空間プロセッサ２０４に提供してもよい。ＯＦＤＭ変調器２０６に変調シンボルを提供する前に、それらを空間的にプリコーディングすることにより、これを達成してもよい。
【手続補正４】
【補正対象書類名】明細書
【補正対象項目名】００３２
【補正方法】変更
【補正の内容】
【００３２】
受信モードでは、各トランシーバ２０８ａ〜２０８ｎは、そのそれぞれのアンテナ２１０ａ〜２１０ｎを通して信号を受信する。各トランシーバ２０８ａ〜２０８ｎを使用して、ＲＦ搬送波上に変調された情報を復元し、ＯＦＤＭ復調器２２０に情報を提供してもよい。
【手続補正５】
【補正対象書類名】明細書
【補正対象項目名】００３３
【補正方法】削除
【補正の内容】
【手続補正６】
【補正対象書類名】図面
【補正対象項目名】図２
【補正方法】変更
【補正の内容】
【図２】
2012531829.tif 000011
【国際調査報告】
2012531829.tif 000012
2012531829.tif 000013
2012531829.tif 000014